(57)【要約】本発明は殺虫的に有効な蛋白質をコードしそしてこの蛋白質を発現するバチルス・チューリンゲンシスから得られる遺伝子を含む遺伝的に改変された野菜植物において有害生物を抑制する方法に関する。本発明は次の群（ａ）−（ｆ）の１種又は数種の化合物の殺虫的に有効な量を植物、その種子生産物又は再生生産物及び／又はそれらを栽培する土地に施用することを特徴とする：ａ）殺虫性有機リン化合物；ｂ）ピレスロイド；ｃ）殺虫性カルバメート；ｄ）バイオ農薬；ｅ）殺虫性成長調整物質；ｆ）その他の物質。本発明の方法は形質転換植物と相乗的に働いて、農薬の量を減らすことを可能にしそして形質転換植物の有効性を増加しそして高めることを可能にし、経済的及び環境的な利益を与える。【特許請求の範囲】
【請求項１】
バチルス・チューリンゲンシスから得られ、殺虫作用を有する蛋白質をコードしそして発現する遺伝子を含む遺伝的に改変された野菜植物において有害生物を防除する方法であって、次の群（ａ）ないし（ｆ）：
ａ）アセフェート、アジンホス−エチル、アジンホス−メチル、カズサホス、クロルフェンビンホス、クロルメホス、クロルピリホス、デメトン−Ｓ−メチル、ジアジノン、ジクロトホス、ジメトエート、ジスルホトン、エチオン、エトプロホス、エトリムホス、ホノホス、イサゾホス、イソフェンホス、マラチオン、メタミドホス、メチダチオン、メビンホス、モノクロトホス、オメトエート、パラチオン、フェントエート、ホレート、ホサロン、ホスメット、ホスファミドン、ホキシム、ピリミホスメチル、プロフェノホス、プロチオホス、ピリダフェンチオン、キナルホス、テルブホス、テトラクロルビンホス及びトリアゾホスからなる群より選ばれる殺虫性有機リン化合物；
ｂ）アクリナトリン、アレトリン、ビフェントリン、シクロプロトリン、シフルトリン、（ベータ）−シフルトリン、（ラムダ）−シハロトリン、シペルメトリン、（アルファ）−シペルメトリン、（ベータ）−シペルメトリン、（ゼータ）−シペルメトリン、デルタメトリン、エスフェンバレレート、フェンプロパトリン、フェンバレレート、フルシトリネート、（タウ）−フルバリネート、ペルメトリン、テフルトリン、トラロメトリン及びＺＸＩ ８９０１からなる群より選ばれるピレスロイド；
ｃ）アラニカルブ、アルジカルブ、アミトラズ、ベンジオカルブ、ベンフラカルブ、ブトカルボキシム、カルバリル、カルボフラン、カルボスルファン、エチオフェンカルブ、ホルメタネート、フラチオカルブ、イソプロカルブ、メチオカルブ、メトミル、オキサミル、ピリミカルブ、プロポキスル、チオファノックス、チオジカルブ及びトリメタカルブからなる群より選ばれる殺虫性カルバメート；
ｄ）バチルス・チューリンゲンシス、バチルス・フィルムス、顆粒症及び核多角体病ウイルス群、ボーベリア・バッシアナ、ボーベリア・ブログニアルティ及びオートグラファ・カリホルニアのようなバキュロウイルス群からなる群より選ばれるバイオ農薬；
ｅ）クロルフルアズロン、ＤＢＩ−３２０４、ジフルベンズロン、フルシクロクスロン、フルフェノクスロン、ヘキサフルムロン、ルフェヌロン、ノバルロン、メトキシフェノジド、テフルベンズロン、テブフェノジド及びトリフルムロンからなる群より選ばれる殺虫性成長調整物質；
ｆ）その他の物質：
アバメクチン、ベンスルタップ、カルタップ、クロルダン、クロルフェナピル、ＤＮＯＣ、エンドスルファン、フィプロニル、エチプロール、イミダクロプリド、チアクロプリド、ホスフィン、オレイン酸／脂肪酸、ピメトロジン、チオシクラム、ＩＫＩ−２２０，トルフェンピラド、アセタミプリド、スピノサド、シラフルオフェン及びチアメトキサム
からの１つ又はより多くの化合物の殺虫的に活性の量を植物、それらの種子又は繁殖物及び／又はそれらが栽培される土地に施用する、上記の方法。
【請求項２】
化合物が殺虫性有機リン化合物（ａ）、ピレスロイド（ｂ）、殺虫性カルバメート（ｃ）、殺虫性成長調整物質（ｅ）、アバメクチン、アセタミプリド、クロルフェナピル、エンドスルファン、フィプロニル、エチプロール、イミダクロプリド、ピメトロジン、スピノサド、シラフルオフェン、チアメトキサム、チアクロプリド、トルフェンピラド、ＩＫＩ−２２０及びバチルス・チューリンゲンシスの群から選ばれる、請求項１に記載の方法。
【請求項３】
エトプロホス、マラチオン、パラチオン、ホサロン、ピリミホスメチル、トリアゾホス、アクリナトリン、デルタメトリン、テフルトリン、アルジカルブ、アミトラズ、ベンジオカルブ、カルバリル、カルボフラン、オキサミル、ピリミカルブ、チオジカルブ、ジフルベンズロン、ルフェヌロン、ノバルロン、メトキシフェノジド、テブフェノジド、アバメクチン、アセタミプリド、クロルフェナピル、エンドスルファン、フィプロニル、エチプロール、イミダクロプリド、ピメトロジン、スピノサド、シラフルオフェン、チアメトキサム、チアクロプリド、トルフェンピラド、ＩＫＩ−２２０及びバチルス・チューリンゲンシスからなる群より選ばれる化合物を使用する請求項２に記載の方法。
【請求項４】
殺虫的に活性の化合物の２つ又はそれ以上の混合物を使用する請求項１〜３のいずれか１項に記載の方法。
【請求項５】
殺虫的に活性の化合物は０．０００１ないし５．０ｋｇ／ｈａの施用比率で施用する請求項１〜４のいずれか１項に記載の方法。
【請求項６】
殺虫的に活性の化合物は製剤の０．００００１ないし９５重量％で使用する請求項１〜５のいずれか１項に記載の方法。
【請求項７】
野菜植物中の殺虫的に活性の蛋白質はｃｒｙ１、ｃｒｙ２、ｃｒｙ３、ｃｒｙ５及び／又はｃｒｙ９サブファミリーからの結晶蛋白質である請求項１〜６のいずれか１項に記載の方法。
【請求項８】
野菜植物中の殺虫的に活性の蛋白質はｃｒｙ１Ａｂ、ｃｒｙ１Ａｃ、ｃｒｙ３Ａ、ｃｒｙ３Ｂ及び／又はｃｒｙ９Ｃである請求項７に記載の方法。
【請求項９】
使用する野菜植物はグルホシネート又はグリホセート耐性を有する請求項１〜８のいずれか１項に記載の方法。
【請求項１０】
有害生物は同翅類、鱗翅類及び／又は鞘翅類目に属する昆虫である請求項１〜９のいずれか１項に記載の方法。
【請求項１１】
殺虫的に活性の化合物を有害生物の卵に対して並びに／又はＬ１及び／もしくはＬ２及び／もしくはＬ３及び／もしくはＬ４及び／もしくはＬ５齢に対して並びに／又は成虫に対して使用する請求項１〜１０のいずれか１項に記載の方法。
【請求項１２】
群（ａ）ないし（ｆ）から選ばれる１つ又はそれ以上の殺虫的に活性の化合物に加えて、１つ又はそれ以上のさらに別の殺虫的、殺菌的又は除草的に活性の化合物を使用する請求項１〜１１のいずれか１項に記載の方法。
【請求項１３】
次の群（ａ）ないし（ｆ）：
ａ）アセフェート、アジンホス−エチル、アジンホス−メチル、カズサホス、クロルフェンビンホス、クロルメホス、クロルピリホス、デメトン−Ｓ−メチル、ジアジノン、ジクロトホス、ジメトエート、ジスルホトン、エチオン、エトプロホス、エトリムホス、ホノホス、イサゾホス、イソフェンホス、マラチオン、メタミドホス、メチダチオン、メビンホス、モノクロトホス、オメトエート、パラチオン、フェントエート、ホレート、ホサロン、ホスメット、ホスファミドン、ホキシム、ピリミホスメチル、プロフェノホス、プロチオホス、ピリダフェンチオン、キナルホス、テルブホス、テトラクロルビンホス及びトリアゾホスからなる群より選ばれる殺虫性有機リン化合物；
ｂ）アクリナトリン、アレトリン、ビフェントリン、シクロプロトリン、シフルトリン、（ベータ）−シフルトリン、（ラムダ）−シハロトリン、シペルメトリン、（アルファ）−シペルメトリン、（ベータ）−シペルメトリン、（ゼータ）−シペルメトリン、デルタメトリン、エスフェンバレレート、フェンプロパトリン、フェンバレレート、フルシトリネート、（タウ）−フルバリネート、ペルメトリン、テフルトリン、トラロメトリン及びＺＸＩ ８９０１からなる群より選ばれるピレスロイド；
ｃ）アラニカルブ、アルジカルブ、アミトラズ、ベンジオカルブ、ベンフラカルブ、ブトカルボキシム、カルバリル、カルボフラン、カルボスルファン、エチオフェンカルブ、ホルメタネート、フラチオカルブ、イソプロカルブ、メチオカルブ、メトミル、オキサミル、ピリミカルブ、プロポキスル、チオファノックス、チオジカルブ及びトリメタカルブからなる群より選ばれる殺虫性カルバメート；
ｄ） バチルス・チューリンゲンシス、バチルス・フィルムス、顆粒症及び核多角体病ウイルス群、ボーベリア・バッシアナ、ボーベリア・ブログニアルティ及びオートグラファ・カリホルニアのようなバキュロウイルス群からなる群より選ばれるバイオ農薬；
ｅ） クロルフルアズロン、ＤＢＩ−３２０４、ジフルベンズロン、フルシクロクスロン、フルフェノクスロン、ヘキサフルムロン、ルフェヌロン、ノバルロン、メトキシフェノジド、テフルベンズロン、テブフェノジド及びトリフルムロンからなる群より選ばれる殺虫性成長調整物質；
ｆ） その他の物質：
アバメクチン、ベンスルタップ、カルタップ、クロルダン、クロルフェナピル、ＤＮＯＣ、エンドスルファン、フィプロニル、エチプロール、イミダクロプリド、チアクロプリド、ホスフィン、オレイン酸／脂肪酸、ピメトロジン、チオシクラム、ＩＫＩ−２２０、トルフェンピラド、アセタミプリド、スピノサド、シラフルオフェン及びチアメトキサム
からの化合物の、バチルス・チューリンゲンシスから得られ、殺虫的に活性の蛋白質をコードしそして発現する遺伝子を含む遺伝的に改変された野菜植物において有害生物を防除するための使用。
【発明の詳細な説明】
【０００１】
本発明はＢｔ野菜の作物において有害生物を抑制する方法に関する。
バチルス・チューリンゲンシス（Ｂａｃｉｌｌｕｓ ｔｈｕｒｉｎｇｉｅｎｓｉｓ）（Ｂｔ）毒素を発現しそしてそれにより特定の有害昆虫による攻撃に対して抵抗性であるナスのような遺伝的に改変された野菜植物（Ｂｔ植物）は既知でありそして商業的作物生産における使用が増加しつつある（例えば、ＵＳ−Ａ ６，０７２，１０５を参照せよ）。既存の遺伝的に改変された植物は極めて良好な性質を有するが、とはいえ多くの改善の余地がある一連の問題が残されている。
【０００２】
従って植物害虫の抑制の問題に対して可能な限り有効且つ環境に優しい解決策を用意することがさらに別の目的であった。
【０００３】
驚くべきことに、今回ある種の殺虫剤はＢｔ植物と組み合わせて使用する場合相乗的に作用することを発見した。
【０００４】
従って本発明はバチルス・チューリンゲンシスから得られる遺伝子であって、殺虫作用を有する蛋白質をコードしそして発現する前記遺伝子を含む遺伝的に改変された野菜植物において有害生物を抑制する方法に関し、この方法において次の群（ａ）ないし（ｆ）からの１つ又はより多くの化合物の殺虫的に活性の量を植物、それらの種子又は繁殖物及び／又はそれらが栽培される土地に施用する。
【０００５】
ａ）アセフェート（ａｃｅｐｈａｔｅ）（４）、アジンホス−エチル（ａｚｉｎｐｈｏｓ−ｅｔｈｙｌ）（４０）、アジンホス−メチル（ａｚｉｎｐｈｏｓ−ｍｅｔｈｙｌ）（４１）、カズサホス（ｃａｄｕｓａｆｏｓ）（１０１）、クロルフェンビンホス（ｃｈｌｏｒｆｅｎｖｉｎｐｈｏｓ）（１２４）、クロルメホス（ｃｈｌｏｒｍｅｐｈｏｓ）（１２８）、クロルピリホス（ｃｈｌｏｒｐｙｒｉｆｏｓ）（１３７）、デメトン−Ｓ−メチル（ｄｅｍｅｔｏｎ−Ｓ−ｍｅｔｈｙｌ）（２０５）、ジアジノン（ｄｉａｚｉｎｏｎ）（２０９）、ジクロトホス（ｄｉｃｒｏｔｏｐｈｏｓ）（２２３）、ジメトエート（ｄｉｍｅｔｈｏａｔｅ）（２４３）、ジスルホトン（ｄｉｓｕｌｆｏｔｏｎ）（２５７）、エチオン（ｅｔｈｉｏｎ）（２８３）、エトプロホス（ｅｔｈｏｐｒｏｐｈｏｓ）（２８６）、エトリムホス（ｅｔｒｉｍｆｏｓ）（２９５）、ホノホス（ｆｏｎｏｆｏｓ）（３６６）、イサゾホス（ｉｓａｚｏｆｏｓ）（４２９）、イソフェンホス（ｉｓｏｆｅｎｐｈｏｓ）（４３０）、マラチオン（ｍａｌａｔｈｉｏｎ）（４４８）、メタミドホス（ｍｅｔｈａｍｉｄｏｐｈｏｓ）（４７９）、メチダチオン（ｍｅｔｈｉｄａｔｈｉｏｎ）（４８１）、メビンホス（ｍｅｖｉｎｐｈｏｓ）（４９９）、モノクロトホス（ｍｏｎｏｃｒｏｔｏｐｈｏｓ）（５０２）、オメトエート（ｏｍｅｔｈｏａｔｅ）（５３３）、パラチオン（ｐａｒａｔｈｉｏｎ）（５５１）、フェントエート（ｐｈｅｎｔｏａｔｅ）（５６５）、ホレート（ｐｈｏｒａｔｅ）（５７０）、ホサロン（ｐｈｏｓａｌｏｎｅ）（５７１）、ホスメット（ｐｈｏｓｍｅｔ）（５７２）、ホスファミドン（ｐｈｏｓｐｈａｍｉｄｏｎ）（５７３）、ホキシム（ｐｈｏｘｉｍ）（５７５）、ピリミホス−メチル（ｐｉｒｉｍｉｐｈｏｓ−ｍｅｔｈｙｌ）（５８５）、プロフェノホス（ｐｒｏｆｅｎｏｆｏｓ）（５９４）、プロチオホス（ｐｒｏｔｈｉｏｆｏｓ）（６１４）、ピリダフェンチオン（ｐｙｒｉｄａｐｈｅｎｔｈｉｏｎ）（６２５）、キナルホス（ｑｕｉｎａｌｐｈｏｓ）（６３４）、テルブホス（ｔｅｒｂｕｆｏｓ）（６９０）、テトラクロルビンホス（ｔｅｔｒａｃｈｌｏｒｖｉｎｐｈｏｓ）（６９４）及びトリアゾホス（ｔｒｉａｚｏｐｈｏｓ）（７２６）からなる群より選ばれる殺虫性有機リン化合物；
【０００６】
ｂ）アクリナトリン（ａｃｒｉｎａｔｈｒｉｎ）（９）、アレトリン（ａｌｌｅｔｈｒｉｎ）（１７）、ビフェントリン（ｂｉｆｅｎｔｈｒｉｎ）（７０）、シクロプロトリン（ｃｙｃｌｏｐｒｏｔｈｒｉｎ）（１７２）、シフルトリン（ｃｙｆｌｕｔｈｒｉｎ）（１７６）、（ベータ）−シフルトリン（（ｂｅｔａ）−ｃｙｆｌｕｔｈｒｉｎ）（１７７）、（ラムダ）−シハロトリン（（ｌａｍｂｄａ）−ｃｙｈａｌｏｔｈｒｉｎ）（１８０）、シペルメトリン（ｃｙｐｅｒｍｅｔｈｒｉｎ）（１８３）、（アルファ）−シペルメトリン（（ａｌｐｈａ）−ｃｙｐｅｒｍｅｔｈｒｉｎ）（１８４）、（ベータ）−シペルメトリン（（ｂｅｔａ）−ｃｙｐｅｒｍｅｔｈｒｉｎ）（１８５）、（ゼータ）−シペルメトリン（（ｚｅｔａ）−ｃｙｐｅｒｍｅｔｈｒｉｎ）（１８７）、デルタメトリン（ｄｅｌｔａｍｅｔｈｒｉｎ）（２０４）、エスフェンバレレート（ｅｓｆｅｎｖａｌｅｒａｔｅ）（２７７）、フェンプロパトリン（ｆｅｎｐｒｏｐａｔｈｒｉｎ）（３１２）、フェンバレレート（ｆｅｎｖａｌｅｒａｔｅ）（３１９）、フルシトリネート（ｆｌｕｃｙｔｈｒｉｎａｔｅ）（３３３）、（タウ）−フルバリネート（（ｔａｕ）−ｆｌｕｖａｌｉｎａｔｅ）（３６２）、ペルメトリン（ｐｅｒｍｅｔｈｒｉｎ）（５６１）、テフルトリン（ｔｅｆｌｕｔｈｒｉｎ）（６８７）、トラロメトリン（ｔｒａｌｏｍｅｔｈｒｉｎ）（７１８）及びＺＸＩ ８９０１（７５９）からなる群より選ばれるピレスロイド；
【０００７】
ｃ）アラニカルブ（ａｌａｎｙｃａｒｂ）（１５）、アルジカルブ（ａｌｄｉｃａｒｂ）（１６）、アミトラズ（ａｍｉｔｒａｚ）（２２）、ベンジオカルブ（ｂｅｎｄｉｏｃａｒｂ）（５６）、ベンフラカルブ（ｂｅｎｆｕｒａｃａｒｂ）（５８）、ブトカルボキシム（ｂｕｔｏｃａｒｂｏｘｉｍ）（９５）、カルバリル（ｃａｒｂａｒｙｌ）（１０６）、カルボフラン（ｃａｒｂｏｆｕｒａｎ）（１０９）、カルボスルファン（ｃａｒｂｏｓｕｌｆａｎ）（１１０）、エチオフェンカルブ（ｅｔｈｉｏｆｅｎｃａｒｂ）（２８２）、ホルメタネート（ｆｏｒｍｅｔａｎａｔｅ）（３６９）、フラチオカルブ（ｆｕｒａｔｈｉｏｃａｒｂ）（３７６）、イソプロカルブ（ｉｓｏｐｒｏｃａｒｂ）（４３１）、メチオカルブ（ｍｅｔｈｉｏｃａｒｂ）（４８２）、メトミル（ｍｅｔｈｏｍｙｌ）（４８３）、オキサミル（ｏｘａｍｙｌ）（５４１）、ピリミカルブ（ｐｉｒｉｍｉｃａｒｂ）（５８３）、プロポキスル（ｐｒｏｐｏｘｕｒ）（６１０）、チオファノックス（ｔｈｉｏｆａｎｏｘ）（７０９）、チオジカルブ（ｔｈｉｏｄｉｃａｒｂ）（７０８）及びトリメタカルブ（ｔｒｉｍｅｔｈａｃａｒｂ）（７４３）からなる群より選ばれる殺虫性カルバメート；
【０００８】
ｄ）バチルス・チューリンゲンシス（Ｂａｃｉｌｌｕｓ ｔｈｕｒｉｎｇｉｅｎｓｉｓ）（４６，４７）、バチルス・フィルムス（Ｂａｃｉｌｌｕｓ ｆｉｒｍｕｓ）、顆粒症（ｇｒａｎｕｌｏｓｉｓ）及び核多角体病ウイルス群（ｎｕｃｌｅａｒ ｐｏｌｙｈｅｄｒｏｓｉｓ ｖｉｒｕｓｅｓ）、ボーベリア・バッシアナ（Ｂｅａｕｖｅｒｉａ ｂａｓｓｉａｎａ）（５２）、ボーベリア・ブログニアルティ（Ｂｅａｕｖｅｒｉａ ｂｒｏｇｎｉａｒｔｉｉ）（５３）及びオートグラファ・カリホルニア（Ａｕｔｏｇｒａｐｈａ ｃａｌｉｆｏｒｎｉａ）のようなバキュロウイルス群（ｂａｃｕｌｏｖｉｒｕｓｅｓ）からなる群より選ばれる生物農薬；
【０００９】
ｅ）クロルフルアズロン（ｃｈｌｏｒｆｌｕａｚｕｒｏｎ）（１２５）、ＤＢＩ−３２０４、ジフルベンズロン（ｄｉｆｌｕｂｅｎｚｕｒｏｎ）（２３１）、フルシクロクスロン（ｆｌｕｃｙｃｌｏｘｕｒｏｎ）（３３２）、フルフェノクスロン（ｆｌｕｆｅｎｏｘｕｒｏｎ）（３３５）、ヘキサフルムロン（ｈｅｘａｆｌｕｍｕｒｏｎ）（３９９）、ルフェヌロン（ｌｕｆｅｎｕｒｏｎ）（４４６）、ノバルロン（ｎｏｖａｌｕｒｏｎ）（５２７）、メトキシフェノジド（ｍｅｔｈｏｘｙｆｅｎｏｚｉｄｅ）（６４３）、テフルベンズロン（ｔｅｆｌｕｂｅｎｚｕｒｏｎ）（６８６）、テブフェノジド（ｔｅｂｕｆｅｎｏｚｉｄｅ）（６７９）及びトリフルムロン（ｔｒｉｆｌｕｍｕｒｏｎ）（７３９）からなる群より選ばれる殺虫性成長調整物質；
【００１０】
ｆ）その他の物質：
アバメクチン（ａｂａｍｅｃｔｉｎ）（１）、ベンスルタップ（ｂｅｎｓｕｌｔａｐ）（６４）、カルタップ（ｃａｒｔａｐ）（１１３）、クロルダン（ｃｈｌｏｒｄａｎｅ）（１２１）、クロルフェナピル（ｃｈｌｏｒｆｅｎａｐｙｒ）（１２３）、ＤＮＯＣ（２６１）、エンドスルファン（ｅｎｄｏｓｕｌｆａｎ）（２７０）、フィプロニル（ｆｉｐｒｏｎｉｌ）（３２３）、エチプロール（ｅｔｉｐｒｏｌｅ）、イミダクロプリド（ｉｍｉｄａｃｌｏｐｒｉｄ）（４１８）、チアクロプリド（ｔｈｉａｃｌｏｐｒｉｄ）、ホスフィン（ｐｈｏｓｐｈｉｎ）（５７４）、オレイン酸／脂肪酸（５３２）、ピメトロジン（ｐｙｍｅｔｒｏｚｉｎｅ）（６１５）、チオシクラム（ｔｈｉｏｃｙｃｌａｍ）（７０７）、ＩＫＩ−２２０、トルフェンピラド（ｔｏｌｆｅｎｐｙｒａｄ）（ＮＥＷ）、アセタミプリド（ａｃｅｔａｍｉｐｒｉｄ）（５）、スピノサド（ｓｐｉｎｏｓａｄ）（７５４）、シラフルオフェン（ｓｉｌａｆｌｕｏｆｅｎ）（６５０）及びチアメトキサム（ｔｈｉａｍｅｔｈｏｘａｍ）（ＮＥＷ）。
【００１１】
括弧内の数字はＴｈｅ Ｐｅｓｔｉｃｉｄｅ Ｍａｎｕａｌ， １１ｔｈ Ｅｄｉｔｉｏｎ， Ｂｒｉｔｉｓｈ Ｃｒｏｐ Ｐｒｏｔｅｃｔｉｏｎ Ｃｏｕｎｃｉｌ， Ｆａｒｎｈａｍ， １９９７に基づく“Ｔｈｅ ｅ−Ｐｅｓｔｉｃｉｄｅ Ｍａｎｕａｌ”， ＣＤ−ＲＯＭ−Ｖｅｒｓｉｏｎ １．１， １９９９−２０００（ＩＳＢＮ： １−９０１３９６−２２−３）における登録番号である。
【００１２】
バキュロウイルス群は、例えば、Ｊ． Ｉｎｄ． Ｍｉｃｒｏｂｉｏｌ． ＆ Ｂｉｏｔｅｃｈ １９９７， １９， １９２に記述されている。バチルス・フィルムス（Ｂａｃｉｌｌｕｓ ｆｉｒｍｕｓ）、ＤＢＩ−３２０４、チアクロプリド（ｔｈｉａｃｒｏｐｒｉｄ）及びＩＫＩ−２２０は、例えば、Ｐｒｏｃｅｅｄｉｎｇｓ ｏｆ ｔｈｅ ＢＣＰＣ−Ｃｏｎｆｅｒｅｎｃｅ， Ｐｅｓｔ ＆ Ｄｉｓｅａｓｅｓ， ２０００に記述されている。
これらの参考文献及びそこで引用された文献についてはそれらが参照により本明細書に組み入れることをここで明言する。
【００１３】
本発明は形質転換植物の高められたそして広範囲の有効性に加えて、前記形質転換植物と相乗的に作用する作物防護剤の施用比率を減らすことを可能にし、これにより経済的及び環境的利益を与える。
【００１４】
本発明の方法の利点は第一に形質転換植物で生産されるバチルス・チューリンゲンシス毒素（Ｂｔ毒素）との相乗作用、そして第二に、例えば、致死未満量（個々の殺虫剤の通常の使用と比較して）の場合における施用回数の減少又は施用比率の減少、及びこれが必然的に供う環境の汚染を著しく減らすことである。
【００１５】
特に、内生Ｂｔ毒素、すなわち形質転換植物内で生産されるＢｔ毒素との上述の活性物質の組合わせは抑制されるべき多数の有害生物に対して明らかな相乗作用を有する。
【００１６】
同様に、本発明は殺虫的に活性の蛋白質をコードしそして発現するバチルス・チューリンゲンシスから得られる遺伝子を含む遺伝的に改変された野菜植物における有害生物を抑制するため上述の群（ａ）ないし（ｆ）の中の化合物の使用に関する。
【００１７】
本発明の目的に関連して、用語「殺虫的に活性」は殺虫性、殺ダニ性、殺軟体動物性、殺線虫性、殺卵性効果及び忌避物質、行動変更及び殺菌剤効果を包含する。
【００１８】
好ましい殺虫性活性物質は上述の殺虫性有機リン化合物、ピレスロイド、殺虫性カルバメート、殺虫性成長調整物質、アバメクチン（ａｂａｍｅｃｔｉｎ）、アセタミプリド（ａｃｅｔａｍｉｐｒｉｄ）、クロルフェナピル（ｃｈｌｏｒｆｅｎａｐｙｒ）、エンドスルファン（ｅｎｄｏｓｕｌｆａｎ）、フィプロニル（ｆｉｐｒｏｎｉｌ）、エチプロール（ｅｔｉｐｒｏｌｅ）、イミダクロプリド（ｉｍｉｄａｃｌｏｐｒｉｄ）、ピメトロジン（ｐｙｍｅｔｒｏｚｉｎｅ）、スピノサド（ｓｐｉｎｏｓａｄ）、シラフルオフェン（ｓｉｌａｆｌｕｏｆｅｎ）、チアメトキサム（ｔｈｉａｍｅｔｈｏｘａｍ）、チアクロプリド（ｔｈｉａｃｌｏｐｒｉｄ）、トルフェンピラド（ｔｏｌｆｅｎｐｙｒａｄ）、ＩＫＩ−２２０及びバチルス・チューリンゲンシス（Ｂａｃｉｌｌｕｓ ｔｈｕｒｉｎｇｉｅｎｓｉｓ）である。
【００１９】
特に好ましいのはエトプロホス（ｅｔｈｏｐｒｏｐｈｏｓ）、マラチオン（ｍａｌａｔｈｉｏｎ）、パラチオン（ｐａｒａｔｈｉｏｎ）、ホサロン（ｐｈｏｓａｌｏｎｅ）、ピリミホスメチル（ｐｉｒｉｍｉｐｈｏｓｍｅｔｈｙｌ）、トリアゾホス（ｔｒｉａｚｏｐｈｏｓ）、アクリナトリン（ａｃｒｉｎａｔｈｒｉｎ）、デルタメトリン（ｄｅｌｔａｍｅｔｈｒｉｎ）、テフルトリン（ｔｅｆｌｕｔｈｒｉｎ）、アルジカルブ（ａｌｄｉｃａｒｂ）、アミトラズ（ａｍｉｔｒａｚ）、ベンジオカルブ（ｂｅｎｄｉｏｃａｒｂ）、カルバリル（ｃａｒｂａｒｙｌ）、カルボフラン（ｃａｒｂｏｆｕｒａｎ）、オキサミル（ｏｘａｍｙｌ）、ピリミカルブ（ｐｉｒｉｍｉｃａｒｂ）、チオジカルブ（ｔｈｉｏｄｉｃａｒｂ）、ジフルベンズロン（ｄｉｆｌｕｂｅｎｚｕｒｏｎ）、ルフェヌロン（ｌｕｆｅｎｕｒｏｎ）、ノバルロン（ｎｏｖａｌｕｒｏｎ）、メトキシフェノジド（ｍｅｔｈｏｘｙｆｅｎｏｚｉｄｅ）、テブフェノジド（ｔｅｂｕｆｅｎｏｚｉｄｅ）、アバメクチン（ａｂａｍｅｃｔｉｎ）、アセタミプリド（ａｃｅｔａｍｉｐｒｉｄ）、クロルフェナピル（ｃｈｌｏｒｆｅｎａｐｙｒ）、エンドスルファン（ｅｎｄｏｓｕｌｆａｎ）、フィプロニル（ｆｉｐｒｏｎｉｌ）、エチプロール（ｅｔｉｐｒｏｌｅ）、イミダクロプリド（ｉｍｉｄａｃｌｏｐｒｉｄ）、ピメトロジン（ｐｙｍｅｔｒｏｚｉｎｅ）、スピノサド（ｓｐｉｎｏｓａｄ）、シラフルオフェン（ｓｉｌａｆｌｕｏｆｅｎ）、チアメトキサム（ｔｈｉａｍｅｔｈｏｘａｍ）、チアクロプリド（ｔｈｉａｃｌｏｐｒｉｄ）、トルフェンピラド（ｔｏｌｆｅｎｐｙｒａｄ）、ＩＫＩ−２２０及びバチルス・チューリンゲンシス（Ｂａｃｉｌｌｕｓ ｔｈｕｒｉｎｇｉｅｎｓｉｓ）である。
【００２０】
極めて特に好ましいのはチオジカルブ（ｔｈｉｏｄｉｃａｒｂ）、アセタミプリド（ａｃｅｔａｍｉｐｒｉｄ）、フィプロニル（ｆｉｐｒｏｎｉｌ）及びトルフェンピラド（ｔｏｌｆｅｎｐｙｒａｄ）である。
【００２１】
また、殺虫的に活性の化合物の２つ又はより多くの、好ましくは２つ又は３つの、特に好ましくは２つの混合物が好ましい。
特に好ましいのは上述の有機リン化合物と上述のピレスロイドとの混合物である。
【００２２】
極めて特に好ましいのは下記に挙げる混合物である：
デルタメトリン及びエンドスルファン、デルタメトリン及びスピノサド、デルタメトリン及びクロルフェナピル、デルタメトリン及びバチルス・チューリンゲンシス、デルタメトリン及びメトキシフェノジド、デルタメトリン及びテブフェノジド、エンドスルファン及びアミトラズ、エンドスルファン及びバチルス・チューリンゲンシス、シフルトリン及びクロルピリホス。
【００２３】
同様に好ましいのは上述のピレスロイドとイミダクロプリドとの混合物、及び上述のピレスロイドとテブフェノジドとの混合物である。
【００２４】
本発明により使用する殺虫的に活性の化合物は既知である。それらの大部分は市販されている。
【００２５】
本発明により使用する殺虫剤は通常は市販の製剤として入手することが可能である。しかしながら、それらは、適切には、一般的な生物学的及び／又は物理化学的パラメーターに基づいて種々の方法で処方することができる。次に示すのは可能な製剤の例である。
湿潤性粉末（ＷＰ）、乳化性濃縮物（ＥＣ）、水溶液（ＳＬ）、乳液、噴霧用溶液、油性又は水性分散物（ＳＣ）、懸濁乳液（ＳＥ）、粉末（ＤＰ）、種子ドレッシング剤、微小顆粒、噴霧顆粒、被覆顆粒及び吸着顆粒の形体の顆粒、水分散性顆粒（ＷＧ）、ＵＬＶ処方物、マイクロカプセル、ワックス又はベイト（ｂａｉｔｓ）。
【００２６】
これらの個々の製剤の型はだいたい既知でありそして、例えば、Ｗｉｎｎａｃｋｅｒ−Ｋｕｅｃｈｌｅｒ，「化学技術（Ｃｈｅｍｉｓｃｈｅ Ｔｅｃｈｎｏｌｏｇｉｅ）」、Ｖｏｌｕｍｅ ７， Ｃ．Ｈａｎｓｅｒ Ｖｅｒｌａｇ Ｍｕｎｉｃｈ， ４ｔｈ Ｅｄ． １９８６； ｖａｎ Ｆａｌｋｅｎｂｅｒｇ，「農薬製剤（Ｐｅｓｔｉｃｉｄｅｓ Ｆｏｒｍｕｌａｔｉｏｎｓ）」、Ｍａｒｃｅｌ Ｄｅｋｋｅｒ Ｎ．Ｙ．， ２ｎｄ Ｅｄ． １９７２−７３； Ｍａｒｔｅｎｓ，「噴霧乾燥便覧（Ｓｐｒａｙ Ｄｒｙｉｎｇ Ｈａｎｄｂｏｏｋ）」、３ｒｄ Ｅｄ． １９７９， Ｇ．Ｇｏｏｄｗｉｎ Ｌｔｄ． Ｌｏｎｄｏｎ に記述されている。
【００２７】
必要な製剤補助物質、例えば不活性物質、界面活性剤、溶剤及び追加の添加物も同様に既知でありそして、例えば、Ｗａｔｋｉｎｓ，「殺虫剤粉末希釈剤及び担体の便覧（Ｈａｎｄｂｏｏｋ ｏｆ Ｉｎｓｅｃｔｉｃｉｄｅ Ｄｕｓｔ Ｄｉｌｕｅｎｔｓ ａｎｄ Ｃａｒｒｉｅｒｓ）」、２ｎｄ Ｅｄ．， Ｄａｒｌａｎｄ Ｂｏｏｋｓ， Ｃａｌｄｗｅｌｌ Ｎ．Ｊ．； ｖ． Ｏｌｐｈｅｎ，「クレーコロイド化学入門（Ｉｎｔｒｏｄｕｃｔｉｏｎ ｔｏ Ｃｌａｙ Ｃｏｌｌｏｉｄ Ｃｈｅｍｉｓｔｒｙ）」、２ｎｄ Ｅｄ．， Ｊ．Ｗｉｌｅｙ ＆ Ｓｏｎｓ， Ｎ．Ｙ．； Ｍａｒｓｄｅｎ，「溶剤便覧（Ｓｏｌｅｎｔｓ Ｇｕｉｄｅ）」、２ｎｄ Ｅｄ．， Ｉｎｔｅｒｓｃｉｅｎｃｅ， Ｎ．Ｙ． １９５０； ＭｃＣｕｔｃｈｅｏｎ’ｓ，「洗剤及び乳化剤年鑑（Ｄｅｔｅｒｇｅｎｔｓ ａｎｄ Ｅｍｕｌｓｉｆｉｅｒｓ Ａｎｎｕａｌ）」、ＭＣ Ｐｕｂｌ． Ｃｏｒｐ．， Ｒｉｄｇｅｗｏｏｄ Ｎ．Ｊ．； Ｓｉｓｌｅｙ ａｎｄ Ｗｏｏｄ，「界面活性剤辞典（Ｅｎｃｙｃｌｏｐｅｄｉａ ｏｆ Ｓｕｒｆａｃｅ Ａｃｔｉｖｅ Ａｇｅｎｔｓ）」、Ｃｈｅｍ． Ｐｕｂｌ． Ｃｏ． Ｉｎｃ．， Ｎ．Ｙ． １９６４； Ｓｃｈｏｅｎｆｅｌｄｔ，「界面活性エチレンオキシド付加物（Ｇｒｅｎｚｆｌａｅｃｈｅｎａｋｔｉｖｅ Ａｅｔｈｙｌｅｎｏｘｉｄａｄｄｕｋｔｅ）」、Ｗｉｓｓ． Ｖｅｒｌａｇｓｇｅｓｅｌｌ．， Ｓｔｕｔｔｇａｒｔ １９６７； Ｗｉｎｎａｃｋｅｒ−Ｋｕｅｃｈｌｅｒ，「化学技術（Ｃｈｅｍｉｓｃｈｅ Ｔｅｃｈｎｏｌｏｇｉｅ）」、Ｖｏｌｕｍｅ ７， Ｃ．Ｈａｎｓｅｒ Ｖｅｒｌａｇ Ｍｕｎｉｃｈ， ４ｔｈ Ｅｄ． １９８６． に記述されている。
【００２８】
他の農薬的に活性の物質、肥料及び／又は植物生長調整物質との組合わせはこれらの製剤を基礎として、例えば、レディーミックス又はタンクミックスの形に製造することもできる。湿潤性粉末は水に均一に分散可能な製剤でありそして活性物質の外に湿潤剤、例えばポリオキシエチル化アルキルフェノール、ポリオキシエチル化脂肪アルコール、アルキルスルホネート、アルキルフェノールスルホネートそして分散剤、例えばリグノスルホン酸ナトリウム、２，２′−ジナフチルメタン−６，６′−ジスルホン酸ナトリウム、さらに希釈剤又は不活性物質も含む。
【００２９】
乳化性濃縮物は活性物質を１又はそれ以上の乳化剤の添加と共に、有機溶剤、例えばブタノール、シクロヘキサノン、ジメチルホルムアミド、キシレンさもなくば高沸点芳香族物質又は炭化水素に溶解することにより製造される。使用することができる乳化剤は、例えば、ドデシルベンゼンスルホン酸カルシウムのようなアルキルアリールスルホン酸カルシウム、又は脂肪酸ポリグリコールエステル、アルキルアリールポリグリコールエーテル、脂肪アルコールポリグリコールエーテル、プロピレンオキシド／エチレンオキシド縮合物、アルキルポリエーテル、ソルビタン脂肪酸エステル、ポリオキシエチレンソルビタン脂肪酸エステル又はポリオキシエチレンソルビトールエステルのような非イオン性乳化剤である。
【００３０】
粉末は活性物質を微粉末固体物質、例えば滑石、天然粘土例えばカオリン、ベントナイト及び葉蝋石又は珪藻土と共に粉砕することにより得られる。顆粒は吸着性顆粒状不活性物質を活性物質と共に噴霧するか又は活性物質濃縮物を結合剤、例えばポリビニルアルコール、ポリアクリル酸ナトリウムさもなくば鉱物油の補助により砂、カオリナイト又は顆粒状不活性物質のような担体の表面に付着させることにより製造することができる。適当な活性物質を肥料顆粒の製造に通常使用される方法で、又は希望するなら肥料との混合物として顆粒化することもできる。
【００３１】
湿潤粉末中の活性物質の濃度は、例えば、重量で約１０ないし９０％であり、残りないし重量で１００％は通常の製剤成分からなる。乳化性濃縮物の場合、活性物質の濃度は重量で約５ないし８０％に達することができる。粉末の形体の製剤は通常活性物質の重量で５ないし２０％を含み、一方噴霧用溶液は活性物質の重量で約２ないし２０％を含む。顆粒の場合、活性物質含量は活性物質が液体又は固体のいずれの形態であるかにより、そして使用される顆粒化助剤、充填剤などにより部分的に左右される。
【００３２】
その上、上述の活性物質製剤は、適切には、それぞれの場合に慣用される補助物質、例えば粘着剤、湿潤剤、分散剤、乳化剤、浸透剤、溶剤、充填剤又は担体を含む。
【００３３】
使用に際し、市販の形体で提供される濃縮物は、適切には、通常の方法で希釈し、例えば湿潤性粉末、乳化性濃縮物、分散物の場合、そして時には微小顆粒の場合も水を使用する。粉末形体の製剤、顆粒化製剤及び噴霧用溶液は通常使用前他の不活性物質でさらに希釈することはしない。
【００３４】
必要な施用比率は外部条件例えば温度、湿度などにより変動する。それは巾広い範囲内で変動させることができ、例えば活性物質の０．１ｇ／ｈａないし５．０ｋｇ／ｈａ又はそれ以上にわたる。しかしながら、好ましくは０．１ｇ／ｈａないし１．０ｋｇ／ｈａである。Ｂｔ野菜及び殺虫剤の間の相乗作用により、０．１ないし５００ｇ／ｈａの施用比率が特に好ましい。
【００３５】
殺虫性有機リン化合物（ａ）の場合、好ましい施用比率は５０ないし５００ｇ／ｈａ、特に好ましい施用比率は５０ないし２００ｇ／ｈａである。
ピレスロイド（ｂ）の場合、好ましい施用比率は０．１ないし１０ｇ／ｈａ、特に好ましいのは０．１ないし６．０ｇ／ｈａである。
殺虫性カルバメート（ｃ）の場合、好ましい施用比率は５０ないし５０００ｇ／ｈａ、特に好ましいのは５０ないし２０００ｇ／ｈａである。
生物農薬（ｄ）の場合、商業的に慣用される施用比率が好ましい。
殺虫性生長調整物質（ｅ）の場合、１０ないし１０００ｇ／ｈａの施用比率が好ましく、５０ないし５００ｇ／ｈａが特に好ましい。
群（ｆ）の殺虫剤の場合、０．１ないし５０００ｇ／ｈａの施用比率が好ましく、０．１ないし３００ｇ／ｈａが特に好ましい。
【００３６】
本発明の活性物質は、それらの市販の製剤についてそしてこれらの製剤から調製した使用形体について、他の活性物質、例えば殺虫剤、誘因物質、殺菌剤、殺ダニ剤、殺線虫剤、殺真菌剤、生長調製物質又は除草剤との混合物の形で提供することができる。
【００３７】
混合物中の好ましい他の成分は
１．カルボン酸エステルの群から、
アルファメトリン（ａｌｐｈａｍｅｔｒｉｎ）、５−ベンジル−３−フリルメチル−（Ｅ）−、（１Ｒ）−シス−２，２−ジメチル−３−（２−オキソチオラン−３−イル−イデンメチル）シクロプロパンカルボキシレート、ビオアレスリン（ｂｉｏａｌｌｅｔｈｒｉｎ）、ビオアレスリン（（Ｓ）−シクロペンチル異性体）、ビオレスメトリン（ｂｉｏｒｅｓｍｅｔｈｒｉｎ）、（ＲＳ）−１−シアノ−１−（６−フェノキシ−２−ピリジル）メチル （１ＲＳ）−トランス−３−（４−ｔｅｒｔーブチルフェニル）−２，２−ジメチルシクロプロパンカルボキシレート（ＮＣＩ ８５１９３）、シチトリン（ｃｙｔｈｉｔｈｒｉｎ）、シフェノトリン（ｃｙｐｈｅｎｏｔｈｒｉｎ）、エンペントリン（ｅｍｐｅｎｔｈｒｉｎ）、フェンフルトリン（ｆｅｎｆｌｕｔｈｒｉｎ）、フルメトリン（ｆｌｕｍｅｔｈｒｉｎ）、フルバリネート（ｆｌｕｖａｌｉｎａｔｅ）（Ｄ異性体）、イミプロトリン（ｉｍｉｐｒｏｔｈｒｉｎ）（Ｓ−４１３１１）、フェノトリン（ｐｈｅｎｏｔｈｒｉｎ）（（Ｒ）異性体）、プラレトリン（ｐｒａｌｌｅｔｈｒｉｎ）、ピレトリン（ｐｙｒｅｔｈｒｉｎ）（天然生産物）、レスメトリン（ｒｅｓｍｅｔｈｒｉｎ）、テトラメトリン（ｔｅｔｒａｍｅｔｈｒｉｎ）、テータ−シペルメトリン（ｔｈｅｔａ−ｃｙｐｅｒｍｅｔｈｒｉｎ）（ＴＤ−２３４４）、トランスフルトリン（ｔｒａｎｓｆｌｕｔｈｒｉｎ）；
【００３８】
２．アミジンの群から、
クロルジメホルム（ｃｈｌｏｒｄｉｍｅｆｏｒｍ）；
【００３９】
３．その他の物質：
ＡＢＧ−９００８、アナグラファ・ファルシテラ（Ａｎａｇｒａｐｈａ ｆａｌｃｉｔｅｒａ）、ＡＫＤ−１０２２、ＡＫＤ−３０５９、ビフェナゼート（ｂｉｆｅｎａｚａｔｅ）（Ｄ−２３４１）、ビナパクリル（ｂｉｎａｐａｃｒｙｌ）、ＢＪＬ−９３２、ブロモプロピレート（ｂｒｏｍｏｐｒｏｐｙｌａｔｅ）、ＢＴＧ−５０４、ＢＴＧ−５０５、ブプロフェジン（ｂｕｐｒｏｆｅｚｉｎ）、カムフェクロール（ｃａｍｐｈｅｃｈｌｏｒ）、クロロベンジレート（ｃｈｌｏｒｏｂｅｎｚｉｌａｔｅ）、２−（４−クロロフェニル）−４，５−ジフェニルチオフェン（ＵＢＩ−Ｔ ９３０）、クロルフェンテジン（ｃｈｌｏｒｆｅｎｔｅｚｉｎｅ）、クロマフェノジド（ＡＮＳ−１１８）、ＣＧ−２１６、ＣＧ−２１７、ＣＧ−２３４、Ａ−１８４６９９、２−ナフチルメチル シクロプロパンカルボキシレート（Ｒｏ１２−０４７０）、シロマジン（ｃｙｒｏｍａｚｉｎ）、ジアクロデン（ｄｉａｃｌｏｄｅｎ）、エチル  Ｎ−（３，５−ジクロロ−４−（１，１，２，３，３，３−ヘキサフルオロ−１−プロピルオキシ）フェニル）カルバモイル）−２−クロロベンゾカルボキシイミデート、ジコホル（ｄｉｃｏｆｏｌ）、Ｎ−２，３−ジヒドロ−３−メチル−１，３−チアゾール−２−イリデン）−２，４−キシリジン、ジノブトン（ｄｉｎｏｂｕｔｏｎ）、ジノカップ（ｄｉｎｏｃａｐ）、ジオフェノラン（ｄｉｏｆｅｎｏｌａｎ）、ＤＰＸ−０６２、エマメクチン ベンゾエート（ｅｎａｍｅｃｔｉｎ ｂｅｎｚｏａｔｅ）（ＭＫ−２４４）、スルフェチプロール（ｓｕｌｆｅｔｈｉｐｒｏｌｅ）、エトフェンプロックス（ｅｔｈｏｆｅｎｐｒｏｘ）、エトキサゾール（ｅｔｏｘａｚｏｌｅ）（ＹＩ−５３０１）、フェノキシカルブ（ｆｅｎｏｘｙｃａｒｂ）、フルアズロン（ｆｌｕａｚｕｒｏｎ）、フルマイト（ｆｌｕｍｉｔｅ）（ｆｌｕｆｅｎｚｉｎｅ， ＳＺＩ−１２１）、２−フルオロ−５−（４−（４−エトキシフェニル）−４−メチル−１−ペンチル）ジフェニルエーテル（ＭＴＩ ８００）、フェンピロキシメート（ｆｅｎｐｙｒｏｘｉｍａｔｅ）、フェンチオカルブ（ｆｅｎｔｈｉｏｃａｒｂ）、フルベンジミン（ｆｌｕｂｅｎｚｉｍｉｎｅ）、フルフェンプロックス（ｆｌｕｆｅｎｐｒｏｘ）（ＩＣＩ−Ａ５６８３）、フルプロキシフェン（ｆｌｕｐｒｏｘｙｆｅｎ）、ガンマ−ＨＣＨ、ハロフェノジド（ｈａｌｏｆｅｎｏｚｉｄｅ）（ＲＨ−０３４５）、ハロフェンプロックス（ｈａｌｏｆｅｎｐｒｏｘ）（ＭＴＩ−７３２）、ヘキシチアゾックス（ｈｅｘｙｔｈｉａｚｏｘ）、ＨＯＩ−９００４、ヒドラメチルノン（ｈｙｄｒａｍｅｔｈｙｌｎｏｎ）（ＡＣ ２１７３００）、インドキサカルブ（ｉｎｄｏｘａｃａｒｂ）（ＤＰＸ−ＭＰ０６２）、カネマイト（ｋａｎｅｍｉｔｅ）（ＡＫＤ−２０２３）、Ｍ−０２０、ＭＴＩ−４４６、イベルメクチン（ｉｖｅｒｍｅｃｔｉｎ）、Ｍ−０２０、ミルベメクチン（ｍｉｌｂｅｍｅｃｔｉｎ）、ＮＣ−１９６、ニームガード（Ｎｅｅｍｇａｒｄ）、ニテンピラム（ｎｉｔｅｎｐｙｒａｍ）（ＴＩ−３０４）、２−ニトロメチル−４，５−ジヒドロ−６Ｈ−チアジン（ＤＳ ５２６１８）、２−ニトロメチル−３，４−ジヒドロチアゾール（ＳＤ ３５６５１）、２−ニトロメチレン−１，２−チアジン−３−イルカルバムアルデヒド（ＷＬ １０８４７７）、ピリプロキシフェン（ｐｙｒｉｐｒｏｘｙｆｅｎ）（Ｓ−７１６３９）、ＮＣ−１９６、ＮＣ−１１１１、ＮＮＩ−９７６８、ＯＫ−９７０１、ＯＫ−９６０１、ＯＫ−９６０２、プロパルガイト（ｐｒｏｐａｒｇｉｔｅ）、ピリダベン（ｐｙｒｉｄａｂｅｎ）、ピリミジフェン（ｐｙｒｉｍｉｄｉｆｅｎ）（ＳＵ−８８０１）、ＲＨ−０３４５、ＲＹＩ−２１０、Ｓ−１２８３、Ｓ−１８３３、ＳＢ７２４２、ＳＩ−８６０１、シロマジン（ｓｉｌｏｍａｄｉｎｅ）（ＣＧ−１７７）、ＳＵ−９１１８、テブフェンピラド（ｔｅｂｕｆｅｎｐｙｒａｄ）（ＭＫ−２３９）、テトラジホン（ｔｅｔｒａｄｉｆｏｎ）、テトラスル（ｔｅｔｒａｓｕｌ）、ＴＩ−４３５、ベルブチン（ｖｅｒｂｕｔｉｎ）、ベルタレク（ｖｅｒｔａｌｅｃ）（Ｍｙｋｏｔａｌ）、ＹＩ−５３０１。
【００４０】
市販の製剤から調製した使用形体の活性物質含量は活性物質の重量で０．０００００００１％から９５％までわたってよく、そして好ましくは重量で０．００００１ないし１％である。
【００４１】
例えば、ピレスロイド及び有機リン化合物の混合物の対応する製剤はピレスロイドの重量で０．０５ないし０．０１％及び有機リン化合物の重量で０．２５ないし０．２０％、好ましくはピレスロイドの重量で０．０１ないし０．００１％及び有機リン化合物の重量で０．２ないし０．１％を含む。
【００４２】
ピレスロイド及びエンドスルファンの混合物の場合、エンドスルファハンの重量で０．７ないし０．２％に対してピレスロイドの重量で０．０５ないし０．０１％の比率が好ましく、特に好ましいのはピレスロイドの重量で０．０１ないし０．００１％及びエンドスルファンの重量で０．３５ないし０．２％である。
【００４３】
ピレスロイド及びバチルス・チューリンゲンシス（Ｂｔ）の混合物の場合、ピレスロイドについては上に示したデータが適用され、一方Ｂｔ部分は好ましくは重量で０．０１ないし０．００１％、特に好ましくは重量で０．００５ないし０．００１％になる。
【００４４】
エンドスルファン及びアミトラズの混合物の場合、好ましくはエンドスルファンの重量で０．３５ないし０．２％及びアミトラズの重量で０．６ないし０．２％を含む。
【００４５】
本発明の方法は好ましくは有害生物のすべての成長段階（卵、すべての齢、例えばＬ１、Ｌ２、Ｌ３、Ｌ４、Ｌ５から成虫に至る）に対する使用、特に同翅類（Ｈｏｍｏｐｔｅｒａ）、双翅類（Ｄｉｐｔｅｒａ）、鱗翅類（Ｌｅｐｉｄｏｐｔｅｒａ）及び鞘翅類（Ｃｏｌｅｏｐｔｅｒａ）の抑制における使用に適している。
【００４６】
本発明の目的に関連して、用語「Ｂｔ野菜」は遺伝的に改変され、殺虫的に活性の蛋白質をコードしそして発現する１又はより多くのバチルス・チューリンゲンシスの遺伝子を含む野菜植物又は野菜作物を指すものと理解される。これらの植物（Ｂｔ野菜）は露地及びフレーム内で作物が生育する場合に提供される条件下の両方で生長することができる。これらの野菜植物又は作物は、例えば、
【００４７】
ジャガイモ（ｐｏｔａｔｏｅｓ）、好ましくは澱粉ジャガイモ（ｓｔａｒｃｈ ｐｏｔａｔｏｅｓ）、サツマイモ（ｓｗｅｅｔ ｐｏｔａｔｏｅｓ）及び料理用ジャガイモ（ｔａｂｌｅ ｐｏｔａｔｏｅｓ）；
根菜類（ｒｏｏｔ ｖｅｇｅｔａｂｌｅｓ）、好ましくはニンジン（ｃａｒｒｏｔｓ）、スウェーデンカブ（ｒｕｔａｂａｇａ）（料理用ビート（ｔａｂｌｅ ｂｅｅｔ）、スタブルカブ（ｓｔｕｂｂｌｅ ｔｕｒｎｉｐｓ）、カブ（ｔｕｒｎｉｐｓ）、Ｂｒａｓｓｉｃａ ｒａｐａ．ｖａｒ．ｆ．ｔｅｌｔｏｗｉｅｎｓｉｓ）、フタナミソウ（ｓｃｏｒｚｏｎｅｒａｓ）、キクイモ（Ｊｅｒｕｓａｌｅｍ ａｒｔｉｃｈｏｋｅ）、根パセリ（ｒｏｏｔ ｐａｒｓｌｅｙ）、アメリカボウフウ（ｐａｒｓｎｉｐ）、ラディッシュ（ｒａｄｉｓｈ）及びセイヨウワサビ（ｈｏｒｓｅｒａｄｉｓｈ）；
【００４８】
塊茎野菜類（ｔｕｂｅｒｏｕｓ ｖｅｇｅｔａｂｌｅｓ）、好ましくはコールラビ（ｋｏｈｌｒａｂｉ）、レッドビート（ｒｅｄ ｂｅｅｔ）、根用セロリー（ｃｅｌｅｒｉａｃ）、ラディッシュ（ｒａｄｉｓｈ）；
球根野菜類（ｂｕｌｂｏｕｓ ｖｅｇｅｔａｂｌｅｓ）、好ましくは西洋ニラネギ（ｌｅｅｋｓ）及びタマネギ（ｏｎｉｏｎｓ）（オニオンセット及び種子生産用タマネギ）；
キャベツ（ｃａｂｂａｇｅｓ）、好ましくはキャピタタ（Ｃａｐｉｔａｔａ）群からのキャベツ（白キャベツ（ｗｈｉｔｅ ｃａｂｂａｇｅ）、赤キャベツ（ｒｅｄ ｃａｂｂａｇｅ）、ケール（ｋａｌｅ）、チリメンキャベツ（ｓａｖｏｙ ｃａｂｂａｇｅ））、カリフラワー（ｃａｕｌｉｆｌｏｗｅｒ）、芽キャベツ（Ｂｒｕｓｓｅｌｓ ｓｐｒｏｕｔｓ）、ブロッコリ（ｂｒｏｃｃｏｌｉ）、Ｂｒａｓｓｉｃａ ｏｌｅｒａｃｅａ．ｖａｒ．ｓａｂｅｌｌｉｃａ、茎ケール（ｓｔｅｍ ｋａｌｅ）、ハマナ（ｓｅａｋａｌｅ）及びＢｒａｓｓｉｃａ ｏｌｅｒａｃｅａ Ｌ．ｃｏｎｖａｒ．ｏｌｅｒａｃｅａ ｖａｒ．ｇｅｍｍｉｆｅｒａ ＤＣ；
【００４９】
果実野菜類（ｆｒｕｉｔｉｎｇ ｖｅｇｅｔａｂｌｅｓ）、好ましくはトマト（ｔｏｍａｔｏｅｓ）（露地トマト（ｆｉｅｌｄ−ｇｒｏｗｎ ｔｏｍａｔｏｅｓ）、ヤブトマト（ｂｕｓｈ ｔｏｍａｔｏｅｓ）、ビーフステーキトマト（ｂｅｅｆｓｔｅａｋ ｔｏｍａｔｏｅｓ）、温室トマト（ｇｒｅｅｎｈｏｕｓｅ−ｇｒｏｗｎ ｔｏｍａｔｏｅｓ）、カクテルトマト（ｃｏｃｋｔａｉｌ ｔｏｍａｔｏｅｓ）、加工用トマト（ｐｒｏｃｅｓｓｉｎｇ ｔｏｍａｔｏｅｓ）及び新鮮野菜として販売されるトマト）、メロン（ｍｅｒｏｎｓ）、ナス（ｅｇｇ ｐｌａｎｔｓ）、ナス（ａｕｂｅｒｇｉｎｅｓ）、トウガラシ（ｃａｐｓｉｃｕｍｓ）（ピーマン（ｂｅｌｌ ｐｅｐｐｅｒｓ）、パプリカ（ｐａｐｒｉｋａ）、ピメント（Ｓｐａｎｉｓｈ ｐｅｐｐｅｒ））、チリ（ｃｈｉｌｌｉｓ）、カボチャ（ｐｕｍｐｋｉｎｓ）、ズッキーニ（ｚｕｃｃｈｉｎｉ）及びキュウリ（ｃｕｃｕｍｂｅｒｓ）（露地キュウリ（ｆｉｅｌｄ−ｇｒｏｗｎ ｃｕｃｕｍｂｅｒｓ）、温室キュウリ（ｇｒｅｅｎｈｏｕｓｅ−ｇｒｏｗｎ ｃｕｃｕｍｂｅｒｓ）、シロウリ（ｓｎａｋｅ ｃｕｃｕｍｂｅｒｓ）、ガーキン（ｇｈｅｒｋｉｎｓ））；
【００５０】
豆果野菜類（ｖｅｇｅｔａｂｌｅ ｌｅｇｕｍｅｓ）、好ましくはツルナシインゲン（ｄｗａｒｆ ｂｅａｎｓ）（緑色及び黄色の莢の変種のあるナタマメ（ｓｗｏｒｄ ｂｅａｎｓ）、ハマアズキ（ｂｅａｃｈ ｂｅａｎｓ）、小粒のインゲンマメの一種（ｆｌａｇｅｏｌｅｔ ｂｅａｎｓ）、ライマメ（ｂｕｔｔｅｒ ｂｅａｎｓ）；煮食用乾燥豆）、つる性のインゲンマメ（緑色、青色及び黄色の莢の変種のあるナタマメ（ｓｗｏｒｄ ｂｅａｎｓ）、ハマアズキ（ｂｅａｃｈ ｂｅａｎｓ）、小粒のインゲンマメの一種（ｆｌａｇｅｏｌｅｔ ｂｅａｎｓ）、ライマメ（ｂｕｔｔｅｒ ｂｅａｎｓ））、ソラマメ（ｆａｂａ ｂｅａｎｓ）（フジマメ（ｆｉｅｌｄ ｂｅａｎｓ）、ソラマメ（ｂｒｏａｄ ｂｅａｎｓ）、白色及び黒色の斑入りの花のある変種）、エンドウ（ｐｅａｓ）（ガラスマメ（ｃｈｉｃｋｌｉｎｇ ｖｅｔｃｈ）、ヒヨコマメ（ｃｈｉｃｋ ｐｅａｓ）、マローファト（ｍａｒｒｏｗｆａｔ ｐｅａｓ）、さやごと食べる豆（ｗｈｏｌｅ ｐｏｄ ｐｅａｓ）、スノーエンドウ（ｓｕｇａｒ ｐｅａｓ）、莢用豆（ｐｅａｓ ｆｏｒ ｓｈｅｌｌｉｎｇ）、淡緑色及び濃緑色の未成熟種子のある変種）及びヒラマメ（ｌｅｎｔｉｌｉｓ）；
【００５１】
葉及び茎用野菜類、好ましくはハクサイ（Ｃｈｉｎｅｓｅ ｃａｂｂａｇｅ）、レタス（ｌｅｔｔｕｃｅ）、コスレタス（ｃｏｓ ｌｅｔｔｕｃｅ）、コーンサラダ（ｃｏｒｎ ｓａｌａｄ）、アイスバーグレタス（ｉｃｅｂｅｒｇ ｌｅｔｔｕｃｅ）、ロマインレタス（ｒｏｍａｉｎｅ ｌｅｔｔｕｃｅ）、オークリーフレタス（ｏａｋ ｌｅａｆ ｌｅｔｔｕｃｅ）、チコリー（ｃｈｉｃｏｒｙ）、ラディッキオ（ｒａｄｉｃｃｈｉｏ）、ロロ ロッソ（ｌｏｌｌｏ ｒｏｓｓｏ）、キバナスズシロ（ａｒｕｇｕｌａ）、キクヂシャ（ｅｎｄｉｖｅｓ）、ホウレンソウ（ｓｐｉｎａｃｈ）、フダンソウ（Ｓｗｉｓｓ ｃｈａｒｄ）（葉及び茎）及びパセリ（ｐａｒｓｌｅｙ）；
【００５２】
その他の野菜類、好ましくはサラダ用途のアスパラガス（ａｓｐａｒａｇｕｓ）、ルバーブ（ｒｈｕｂａｒｂ）、チャイブ（ｃｈｉｖｅｓ）、チョウセンアザミ（ａｒｔｉｃｈｏｋｅｓ）、ハッカ（ｍｉｎｔｓ）、ヒマワリ（ｓｕｎｆｌｏｗｅｒｓ）、イタリーウイキョウ（Ｆｌｏｒｅｎｃｅ ｆｅｎｎｅｌ）、ヒメウイキョウ（ｄｉｌｌｗｅｅｄ）、コショウソウ（ｇａｒｄｅｎ ｃｒｅｓｓ）、カラシナ（ｍｕｓｔａｒｄ）、ケシ（ｐｏｐｐｉｅｓ）、ラッカセイ（ｐｅａｎｕｔｓ）、ゴマ（ｓｅｓａｍｅ）及びチコリー（ｃｈｉｃｏｒｉｅｓ）。
【００５３】
本発明の目的に関連して、一般名用語「Ｂｔ野菜」の範囲に入るようなすべての植物は、殺虫的に活性の蛋白質をコードするバチルス・チューリンゲンシスからの１又はより多くの遺伝子を含みそして発現するように遺伝的に改変されている。
【００５４】
好ましいのはＣｒｙファミリー（例えば、Ｃｒｉｃｋｍｏｒｅ ｅｔ ａｌ．， Ｍｉｃｒｏｂｉｏｌ． Ｍｏｌ． Ｂｉｏｌ． Ｒｅｖ． １９９８， ６２， ８０７−８１２を参照せよ）に属するバチルス・チューリンゲンシス結晶蛋白質であり、この蛋白質は鱗翅類、鞘翅類及び双翅類に対して活性である。
【００５５】
特に好ましいのは蛋白質ｃｒｙ１Ａａ１、ｃｒｙ１Ａａ２、ｃｒｙ１Ａａ３、ｃｒｙ１Ａａ４、ｃｒｙ１Ａａ５、ｃｒｙ１Ａａ６、ｃｒｙ１Ａａ７、ｃｒｙ１Ａａ８、ｃｒｙ１Ａａ９、ｃｒｙ１Ａａ１０、ｃｒｙ１Ａａ１１、ｃｒｙ１Ａｂ１、ｃｒｙ１Ａｂ２、ｃｒｙ１Ａｂ３、ｃｒｙ１Ａｂ４、ｃｒｙ１Ａｂ５、ｃｒｙ１Ａｂ６、ｃｒｙ１Ａｂ７、ｃｒｙ１Ａｂ８、ｃｒｙ１Ａｂ９、ｃｒｙ１Ａｂ１０、ｃｒｙ１Ａｂ１１、ｃｒｙ１Ａｂ１２、ｃｒｙ１Ａｂ１３、ｃｒｙ１Ａｂ１４、ｃｒｙ１Ａｃ１、ｃｒｙ１Ａｃ２、ｃｒｙ１Ａｃ３、ｃｒｙ１Ａｃ４、ｃｒｙ１Ａｃ５、ｃｒｙ１Ａｃ６、ｃｒｙ１Ａｃ７、ｃｒｙ１Ａｃ８、ｃｒｙ１Ａｃ９、ｃｒｙ１Ａｃ１０、ｃｒｙ１Ａｃ１１、ｃｒｙ１Ａｃ１２、ｃｒｙ１Ａｃ１３、ｃｒｙ１Ａｄ１、ｃｒｙ１Ａｄ２、ｃｒｙ１Ａｅ１、ｃｒｙ１Ａｆ１、ｃｒｙ１Ａｇ１、ｃｒｙ１Ｂａ１、ｃｒｙ１Ｂａ２、ｃｒｙ１Ｂｂ１、ｃｒｙ１Ｂｃ１、ｃｒｙ１Ｂｄ１、ｃｒｙ１Ｂｅ１、ｃｒｙ１Ｃａ１、ｃｒｙ１Ｃａ２、ｃｒｙ１Ｃａ３、ｃｒｙ１Ｃａ４、ｃｒｙ１Ｃａ５、ｃｒｙ１Ｃａ６、ｃｒｙ１Ｃａ７、ｃｒｙ１Ｃｂ１、ｃｒｙ１Ｃｂ２、ｃｒｙ１Ｄａ１、ｃｒｙ１Ｄａ２、ｃｒｙ１Ｄｂ１、ｃｒｙ１Ｅａ１、ｃｒｙ１Ｅａ２、ｃｒｙ１Ｅａ３、ｃｒｙ１Ｅａ４、ｃｒｙ１Ｅａ５、ｃｒｙ１Ｅａ６、ｃｒｙ１Ｅｂ１、ｃｒｙ１Ｆａ１、ｃｒｙ１Ｆａ２、ｃｒｙ１Ｆｂ１、ｃｒｙ１Ｆｂ２、ｃｒｙ１Ｆｂ３、ｃｒｙ１Ｆｂ４、ｃｒｙ１Ｇａ１、ｃｒｙ１Ｇａ２、ｃｒｙ１Ｇｂ１、ｃｒｙ１Ｇｂ２、ｃｒｙ１Ｈａ１、ｃｒｙ１Ｈｂ１、ｃｒｙ１Ｉａ１、ｃｒｙ１Ｉａ２、ｃｒｙ１Ｉａ３、ｃｒｙ１Ｉａ４、ｃｒｙ１Ｉａ５、ｃｒｙ１Ｉａ６、ｃｒｙ１Ｉｂ１、ｃｒｙ１Ｉｃ１、ｃｒｙ１Ｉｄ１、ｃｒｙ１Ｉｅ１、ｃｒｙ１Ｉ−ｌｉｋｅ、ｃｒｙ１Ｊａ１、ｃｒｙ１Ｊｂ１、ｃｒｙ１Ｊｃ１、ｃｒｙ１Ｋａ１、ｃｒｙ１−ｌｉｋｅ、ｃｒｙ２Ａａ１、ｃｒｙ２Ａａ２、ｃｒｙ２Ａａ３、ｃｒｙ２Ａａ４、ｃｒｙ２Ａａ５、ｃｒｙ２Ａａ６、ｃｒｙ２Ａａ７、ｃｒｙ２Ａａ８、ｃｒｙ２Ａａ９、ｃｒｙ２Ａｂ１、ｃｒｙ２Ａｂ２、ｃｒｙ２Ａｂ３、ｃｒｙ２Ａｃ１、ｃｒｙ２Ａｃ２、ｃｒｙ２Ａｄ１、ｃｒｙ３Ａａ１、ｃｒｙ３Ａａ２、ｃｒｙ３Ａａ３、ｃｒｙ３Ａａ４、ｃｒｙ３Ａａ５、ｃｒｙ３Ａａ６、ｃｒｙ３Ａａ７、ｃｒｙ３Ｂａ１、ｃｒｙ３Ｂａ２、ｃｒｙ３Ｂｂ１、ｃｒｙ３Ｂｂ２、ｃｒｙ３Ｂｂ３、ｃｒｙ３Ｃａ１、ｃｒｙ４Ａａ１、ｃｒｙ４Ａａ２、ｃｒｙ４Ｂａ１、ｃｒｙ４Ｂａ２、ｃｒｙ４Ｂａ３、ｃｒｙ４Ｂａ４、ｃｒｙ５Ａａ１、ｃｒｙ５Ａｂ１、ｃｒｙ５Ａｃ１、ｃｒｙ５Ｂａ１、ｃｒｙ６Ａａ１、ｃｒｙ６Ｂａ１、ｃｒｙ７Ａａ１、ｃｒｙ７Ａｂ１、ｃｒｙ７Ａｂ２、ｃｒｙ８Ａａ１、ｃｒｙ８Ｂａ１、ｃｒｙ８Ｃａ１、ｃｒｙ９ ｌｉｋｅ、ｃｒｙ９Ａａ１、ｃｒｙ９Ａａ２、ｃｒｙ９Ｂａ１、ｃｒｙ９Ｃａ１、ｃｒｙ９Ｄａ１、ｃｒｙ９Ｄａ２、ｃｒｙ９Ｅａ１、ｃｒｙ１０Ａａ１、ｃｒｙ１０Ａａ２、ｃｒｙ１１Ａａ１、ｃｒｙ１１Ａａ２、ｃｒｙ１１Ｂａ１、ｃｒｙ１１Ｂｂ１、ｃｒｙ１２Ａａ１、ｃｒｙ１３Ａａ１、ｃｒｙ１４Ａａ１、ｃｒｙ１５Ａａ１、ｃｒｙ１６Ａａ１、ｃｒｙ１７Ａａ１、ｃｒｙ１８Ａａ１、ｃｒｙ１８Ｂａ１、ｃｒｙ１８Ｃａ１、ｃ��ｙ１９Ａａ１、ｃｒｙ１９Ｂａ１、ｃｒｙ２０Ａａ１、ｃｒｙ２１Ａａ１、ｃｒｙ２１Ａａ２、ｃｒｙ２２Ａａ１、ｃｒｙ２３Ａａ１、ｃｒｙ２４Ａａ１、ｃｒｙ２５Ａａ１、ｃｒｙ２６Ａａ１、ｃｒｙ２７Ａａ１、ｃｒｙ２８Ａａ１、ｃｒｙ２８Ａａ２、ｃｒｙ２９Ａａ１、ｃｒｙ３０Ａａ１、ｃｒｙ３１Ａａ１、ｃｙｔ１Ａａ１、ｃｙｔ１Ａａ２、ｃｙｔ１Ａａ３、ｃｙｔ１Ａａ４、ｃｙｔ１Ａｂ１、ｃｙｔ１Ｂａ１、ｃｙｔ２Ａａ１、ｃｙｔ２Ｂａ１、ｃｙｔ２Ｂａ２、ｃｙｔ２Ｂａ３、ｃｙｔ２Ｂａ４、ｃｙｔ２Ｂａ５、ｃｙｔ２Ｂａ６、ｃｙｔ２Ｂａ７、ｃｙｔ２Ｂａ８、ｃｙｔ２Ｂｂ１をコードする遺伝子である。
【００５６】
特に好ましいのはサブファミリーｃｒｙ１、ｃｒｙ２、ｃｒｙ３、ｃｒｙ５及びｃｒｙ９である。
極めて特に好ましいのはｃｒｙ１Ａｂ、ｃｒｙ１Ａｃ、ｃｒｙ３Ａ、ｃｒｙ３Ｂ及びｃｒｙ９Ｃである。
さらに、１より多くのＢｔ蛋白質の遺伝子を含む植物を使用するのが好ましい。
【００５７】
昆虫抵抗性のためのバチルス・チューリンゲンシス（Ｂｔ）毒素の発現に加えて、形質転換作物植物はさらに別の形質転換特性、例えばさらに別の昆虫抵抗性（例えばプロテアーゼ又はぺプチダーゼ阻害剤の発現による；ＷＯ−Ａ−９５／３５０３１を参照せよ）、除草剤耐性（例えばｐａｔ又はｂａｒ遺伝子の発現によりグルホシネート又はグリホセートに対する）又は線虫、真菌又はウイルスに対する抵抗性（例えばグルカナーゼ、キチナーゼの発現による）を持つこと、さもなくばそれらの代謝特性が成分の定性的及び／又は定量的変化を引き起こすように遺伝的に改変させること（例えばエネルギー、炭水化物、脂肪酸又は窒素代謝又はそれらに影響を与える代謝物流動の変化による）もあり得る。好ましいＢｔ野菜植物の例は追加としてグルホシネート又はグリホセート耐性を有するような植物である。
【００５８】
Ｂｔ野菜植物は、それらの産出方法も含めて、例えば、Ｂａｒｔｏｎ ｅｔ ａｌ．， １９８７， Ｐｌａｎｔ Ｐｈｙｓｉｏｌ． ８５： １１０３−１１０９； Ｖａｅｃｋ ｅｔ ａｌ．， １９８７， Ｎａｔｕｒｅ ３２８： ３３−３７； Ｆｉｓｃｈｈｏｆｆ ｅｔ ａｌ．， １９８７， Ｂｉｏ／Ｔｅｃｈｎｏｌｏｇｙ ５： ８０７−８１３ に詳細にわたって記述されている。
【００５９】
さらにＢｔ野菜植物は種々の変種について商業的に入手することが可能であり、例えばジャガイモの変種ＮｅｗＬｅａｆ（Ｒ）がＭｏｎｓａｎｔｏから発売されている。さらに野菜変種の開発及び／又は試験が継続されており、例えばＭｏｎｓａｎｔｏにより鱗翅類に抵抗性のトマトの変種の研究がなされている。
【００６０】
天然に存在する植物と比較して改変された性質を有する形質転換植物を産出するための道筋は例えば次の文献に記述された方法の使用にある：Ｗｉｌｌｍｉｔｚｅｒ， １９９３， Ｔｒａｎｓｇｅｎｉｃ ｐｌａｎｔｓ， ｉｎ： Ｂｉｏｔｅｃｈｎｏｌｏｇｙ， Ａ Ｍｕｌｔｉｖｏｌｕｍｅ Ｃｏｍｐｒｅｈｅｎｓｉｖｅ Ｔｒｅａｔｉｓｅ， Ｒｅｈｍ ｅｔ ａｌ．（ｅｄｓ．） Ｖｏｌ．２， ６２７−６５９， ＶＣＨ Ｗｅｉｎｈｅｉｍ， Ｇｅｒｍａｎｙ： ＭｃＣｏｒｍｉｃｋ ｅｔ ａｌ． Ｐｌａｎｔ Ｃｅｌｌ Ｒｅｐｏｒｔｓ， １９８６， ５， ８１−８４， ＥＰ−Ａ−０２２１０４４， ＥＰ−Ａ−０１３１６２４．
【００６１】
改変された性質を有する新規の形質転換植物を産出することができる多数の分子生物学的技法がこの分野の熟練した研究者に知られており、例えば、次の文献が参照される：Ｓａｍｂｒｏｏｋ ｅｔ ａｌ．， １９８９， Ｍｏｌｅｃｕｌａｒ Ｃｌｏｎｉｎｇ， Ａ Ｌａｂｏｒａｔｏｒｙ Ｍａｎｕａｌ， ３ｒｄ Ｅｄ．， Ｃｏｌｄ Ｓｐｒｉｎｇ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ， ＮＹ； Ｗｉｎｎａｃｋｅｒ “Ｇｅｎｅ ｕｎｄ Ｋｌｏｎｅ”， ＶＣＨ Ｗｅｉｎｈｅｉｍ， ２ｎｄ Ｅｄ． １９９６， ｏｒ Ｃｈｒｉｓｔｏｕ， Ｔｒｅｎｄｓ ｉｎ Ｐｌａｎｔ Ｓｃｉｅｎｃｅ １ （１９９６） ４２３−４３１．
【００６２】
そのような組換体操作を遂行するため、適当な核酸分子を、例えばＤＮＡ配列の組換えにより、変異誘発又は配列中の変化を起こさせるような適当なベクターを使用して植物又は植物細胞内に導入することができる。上述の標準的方法の補助により、例えば、塩基置換を行い、部分配列を除き又は天然もしくは合成配列を付加することも可能である。又、例えば、好ましくは植物細胞内で活性であるプロモーターの制御下で天然に存在する遺伝子を完全に異種又は合成遺伝子で置き換える（遺伝子置換）ことも可能である。ＤＮＡ断片を互いに連結するため、断片はアダプター又はリンカーと共に供給されることができる。
【００６３】
遺伝子生産物の活性の減少した植物細胞は、例えば、共抑制作用を実現するため少なくとも１つの対応するアンチセンスＲＮＡ、センスＲＮＡを発現することにより、又は上述の遺伝子生産物の転写物を特異的に切断する少なくとも１つの適当に組み立てられたリボザイムを発現することにより得ることができる。
【００６４】
このために、他方で、存在しうるすべてのフランキング配列を含む遺伝子生産物のすべてのコーディング配列を包含するＤＮＡ分子を使用すること、のみならずコーディング配列の一部分（細胞でアンチセンス作用を引き起こす限りは必要である部分）のみを包含するＤＮＡ分子も使用することが可能である。もう一つの可能性は遺伝子生産物のコーディング配列と高度の相同性を有するが、完全に同一ではないＤＮＡ配列の使用である。
【００６５】
植物で核酸分子が発現する場合、合成された蛋白質は植物細胞の任意の希望する区画に局在することができる。しかしながら、特定の区画における局在を達成するために、コーディング領域を、例えば、特定の区画又は特定の時点における局在を確実にするＤＮＡ配列（特定の段階で誘導されるか、又は化学的もしくは生物学的に誘導される；例えばトランジット又はシグナル ペプチド、時間又は位置特異性プロモーター）と連結することができる。そのような配列は熟練した研究者にとっては既知である（例えば、次の文献を参照せよ：Ｂｒａｕｎ ｅｔ ａｌ．， ＥＭＢＯ Ｊ． １１ （１９９２）， ３２１９−３２２７； Ｗｏｌｔｅｒ ｅｔ ａｌ．， Ｐｒｏｃ． Ｎａｔｌ． Ａｃａｄ． Ｓｃｉ． ＵＳＡ ８５ （１９８８）， ８４６−８５０； Ｓｏｎｎｅｗａｌｄ ｅｔ ａｌ．， Ｐｌａｎｔ Ｊ． １ （１９９１）， ９５−１０６．）。
【００６６】
形質転換植物細胞は既知の技法で再生させて完全な植物にすることができる。
このようにして、相同（すなわち内生）遺伝子もしくは遺伝子配列の過剰発現、抑制もしくは阻害又は異種（すなわち外生）遺伝子又は遺伝子配列の発現により改変された性質を示す形質転換植物を得ることができる。
【００６７】
本発明の方法は特に野菜に見られる多数の有害生物、特に昆虫及び蛛形類、極めて特に好ましくは昆虫を抑制するのに適している。上述の害虫は下記のそれを含む：
等脚（Ｉｓｏｐｏｄａ）目から、例えば、アルマジリジウム（Ａｒｍａｄｉｌｌｉｄｉｕｍ）種、オニスクス（Ｏｎｉｓｃｕｓ）種、ポルセリオ（Ｐｏｒｃｅｌｉｏ）種。
倍脚（Ｄｉｐｌｏｐｏｄａ）目から、例えば、ブラニウルス（Ｂｌａｎｉｕｌｕｓ）種。
唇脚（Ｃｈｉｌｏｐｏｄａ）目から、例えば、ゲオフィルス（Ｇｅｏｐｈｉｌｕｓ）種、スクチゲラ（Ｓｃｕｔｉｇｅｒａ）種。
【００６８】
結合（Ｓｙｍｐｈｙｌａ）目から、例えば、スクチゲレラ（Ｓｃｕｔｉｇｅｒｅｌｌａ）種。
総尾（Ｔｈｙｓａｎｕｒａ）目から、例えば、セイヨウシミ（Ｌｅｐｉｓｍａ）種。
粘管（Ｃｏｌｌｅｍｂｏｌａ）目から、例えば、シロトビムシ（Ｏｎｙｃｈｉｕｒｕｓ）種。
直翅（Ｏｒｔｈｏｐｔｅｒａ）目から、例えば、チャバネゴキブリ（Ｂｌａｔｔｅｌｌａ）種、ペリプラネタ（Ｐｅｒｉｐｌａｎｅｔａ）種、ロイコフェア（Ｌｅｕｃｏｐｈａｅａ）種、アケタ（Ａｃｈｅｔａ）種、ケラ（Ｇｒｙｌｌｏｔａｌｐａ）種、トノサマバッタ（Ｌｏｃｕｓｔａ ｍｉｇｒａｔｏｒｉａ ｍｉｇｒａｔｏｒｉｏｉｄｅｓ）、メラノプルス（Ｍｅｌａｎｏｐｌｕｓ）種、シストセルカ（Ｓｃｈｉｓｔｏｃｅｒｃａ）種。
【００６９】
ハサミムシ（Ｄｅｒｍａｐｔｅｒａ）目から、例えば、クギヌキハサミムシ（Ｆｏｒｆｉｃｕｌａ）種。
等翅（Ｉｓｏｐｔｅｒａ）目から、例えば、ヤマトシロアリ（Ｒｅｔｉｃｕｌｉｔｅｒｍｅｓ）種、イエシロアリ（Ｃｏｐｔｏｔｅｒｍｅｓ）種。
アザミウマ（Ｔｈｙｓａｎｏｐｔｅｒａ）目から、例えば、フランクリニエラ（Ｆｒａｎｋｌｉｎｉｅｌｌａ）種、カコトリップス（Ｋａｋｏｔｈｒｉｐｓ）種、ヘルシノトリップス（Ｈｅｒｃｉｎｏｔｈｒｉｐｓ）種、シルトトリップス（Ｓｃｉｒｔｏｔｈｒｉｐｓ）種、テニオトリップス（Ｔａｅｎｉｏｔｈｒｉｐｓ）種。
【００７０】
異翅（Ｈｅｔｅｒｏｐｔｅｒａ）目から、例えば、ユーリガスター（Ｅｕｒｙｇａｓｔｅｒ）種、ステファニチス（Ｓｔｅｐｈａｎｉｔｉｓ）種、リグス（Ｌｙｇｕｓ）種、エリア（Ａｅｌｉａ）種、ユーリデマ（Ｅｕｒｙｄｅｍａ）種、ジスデルクス（Ｄｙｓｄｅｒｃｕｓ）種、ピエスマ（Ｐｉｅｓｍａ）種。
【００７１】
同翅（Ｈｏｍｏｐｔｅｒａ）目から、例えば、アレウロデス（Ａｌｅｕｒｏｄｅｓ）種、ベミシア（Ｂｅｍｉｓｉａ）種、トリアレウロデス（Ｔｒｉａｌｅｕｒｏｄｅｓ）種、ブレビコリネ（Ｂｒｅｖｉｃｏｒｙｎｅ）種、クリプトミズス（Ｃｒｙｐｔｏｍｙｚｕｓ）種、アフィス（Ａｐｈｉｓ）種、エリオソマ（Ｅｒｉｏｓｏｍａ）種、ヒアロプテルス（Ｈｙａｌｏｐｔｅｒｕｓ）種、ブドウネアブラムシ（Ｐｈｙｌｌｏｘｅｒａ）種、ペンフィグス（Ｐｅｍｐｈｉｇｕｓ）種、マクロシフム（Ｍａｃｒｏｓｉｐｈｕｍ）種、ミズス（Ｍｙｚｕｓ）種、ホロドン（Ｐｈｏｒｏｄｏｎ）種、ロパロシフム（Ｒｈｏｐａｌｏｓｉｐｈｕｍ）種、エンポアスカ（Ｅｍｐｏａｓｃａ）種、ユーセリス（Ｅｕｓｃｅｌｉｓ）種、ユーレカニウム（Ｅｕｌｅｃａｎｉｕｍ）種、サイセチア（Ｓａｉｓｓｅｔｉａ）種、アオニジエラ（Ａｏｎｉｄｉｅｌｌａ）種、アスピジオタス（Ａｓｐｉｄｉｏｔｕｓ）種、ネホテチックス（Ｎｅｐｈｏｔｅｔｔｉｘ）種、ラオデルファックス（Ｌａｏｄｅｌｐｈａｘ）種、ニラパルバタ（Ｎｉｌａｐａｒｖａｔａ）種、ソガテラ（Ｓｏｇａｔｅｌｌａ）種、クワコナカイガラムシ（Ｐｓｅｕｄｏｃｏｃｃｕｓ）種、キジラミ（Ｐｓｙｌｌａ）種、アワフキムシ（Ａｐｈｒｏｐｈｏｒａ）種、エネオラミア（Ａｅｎｅｏｌａｍｉａ）種。
【００７２】
鱗翅（Ｌｅｐｉｄｏｐｔｅｒａ）目から、例えば、ペクチノホラ（Ｐｅｃｔｉｎｏｐｈｏｒａ）種、ブパルス（Ｂｕｐａｌｕｓ）種、ケイマトビア（Ｃｈｅｉｍａｔｏｂｉａ）種、ネファシア（Ｃｎｅｐｈａｓｉａ）種、ヒドレシア（Ｈｙｄｒａｅｃｉａ）種、リトコレチス（Ｌｉｔｈｏｃｏｌｌｅｔｉｓ）種、ヒポノミュータ（Ｈｙｐｏｎｏｍｅｕｔａ）種、プルテラ（Ｐｌｕｔｅｌｌａ）種、コナガ（Ｐｌｕｔｅｌｌａ ｘｙｌｏｓｔｅｌｌａ）、マラコソマ（Ｍａｌａｃｏｓｏｍａ）種、ユープロクチス（Ｅｕｐｒｏｃｔｉｓ）種、ドクガ（Ｌｙｍａｎｔｒｉａ）種、チビガ（Ｂｕｃｃｕｌａｔｒｉｘ）種、フィトメトラ（Ｐｈｙｔｏｍｅｔｒａ）種、スクロビパルパ（Ｓｃｒｏｂｉｐａｌｐａ）種、フトリメア（Ｐｈｔｈｏｒｉｍａｅａ）種、ノリモスケマ（Ｇｎｏｒｉｍｏｓｃｈｅｍａ）種、オートグラファ（Ａｕｔｏｇｒａｐｈａ）種、エベルゲスチス（Ｅｖｅｒｇｅｓｔｉｓ）種、ラカノビア（Ｌａｃａｎｏｂｉａ）種、シジア（Ｃｙｄｉａ）種、シュードシアフィラ（Ｐｓｅｕｄｏｃｉａｐｈｉｌａ）種、フィロクニスチス（Ｐｈｙｌｌｏｃｎｉｓｔｉｓ）種、アグロチス（Ａｇｒｏｔｉｓ）種、ユーキソア（Ｅｕｘｏａ）種、フェルチア（Ｆｅｌｔｉａ）種、エリアス（Ｅａｒｉａｓ）種、ヘリオチス（Ｈｅｌｉｏｔｈｉｓ）種、ヤガ（Ｈｅｌｉｃｏｖｅｒｐａ）種、カイコガ（Ｂｏｍｂｙｘ）種、ラフィグマ（Ｌａｐｈｙｇｍａ）種、マメストラ（Ｍａｍｅｓｔｒａ）種、パノリス（Ｐａｎｏｌｉｓ）種、プロデニア（Ｐｒｏｄｅｎｉａ）種、ハスモンヨトウ（Ｓｐｏｄｏｐｔｅｒａ）種、トリコプルシア（Ｔｒｉｃｈｏｐｌｕｓｉａ）種、カルポカプサ（Ｃａｒｐｏｃａｐｓａ）種、シロチョウ（Ｐｉｅｒｉｓ）種、チロ（Ｃｈｉｌｏ）種、オストリニア（Ｏｓｔｒｉｎｉａ）種、ピラウスタ（Ｐｙｒａｕｓｔａ）種、エフェスチア（Ｅｐｈｅｓｔｉａ）種、ガレリア（Ｇａｌｌｅｒｉａ）種、カコエシア（Ｃａｃｏｅｃｉａ）種、カプア（Ｃａｐｕａ）種、コリストニューラ（Ｃｈｏｒｉｓｔｏｎｅｕｒａ）種、クリシア（Ｃｌｙｓｉａ）種、ホフマノフィラ（Ｈｏｆｍａｎｎｏｐｈｉｌａ）種、チャハマキ（Ｈｏｍｏｎａ）種、チネオラ（Ｔｉｎｅｏｌａ）種、チネア（Ｔｉｎｅａ）種、トルトリックス（Ｔｏｒｔｒｉｘ）種。
【００７３】
鞘翅（Ｃｏｌｅｏｐｔｅｒａ）目から、例えば、シバンムシ（Ａｎｏｂｉｕｍ）種、リゾペルタ（Ｒｈｉｚｏｐｅｒｔｈａ）種、ブルチジウス（Ｂｒｕｃｈｉｄｉｕｓ）種、アカントセリデス（Ａｃａｎｔｈｏｓｃｅｌｉｄｅｓ）種、ヒロトルペス（Ｈｙｌｏｔｒｕｐｅｓ）種、アクリペア（Ａｃｌｙｐｅａ）種、アゲラスチカ（Ａｇｅｌａｓｔｉｃａ）種、レプチノタルサ（Ｌｅｐｔｉｎｏｔａｒｓａ）種、キジラミ（Ｐｓｙｌｌｉｏｄｅｓ）種、ケトクネマ（Ｃｈａｅｔｏｃｎｅｍａ）種、カッシダ（Ｃａｓｓｉｄａ）種、ボシノデレス（Ｂｏｔｈｙｎｏｄｅｒｅｓ）種、クリビナ（Ｃｌｉｖｉｎａ）種、セウトリンクス（Ｃｅｕｔｏｒｈｙｎｃｈｕｓ）種、フィロトレタ（Ｐｈｙｌｌｏｔｒｅｔａ）種、ホソクチゾウムシ（Ａｐｉｏｎ）種、シトナ（Ｓｉｔｏｎａ）種、ブルクス（Ｂｒｕｃｈｕｓ）種、フェドン（Ｐｈａｅｄｏｎ）種、ジアブロチカ（Ｄｉａｂｒｏｔｉｃａ）種、キジラミ（Ｐｓｙｌｌｏｉｄｅｓ）種、エピラクナ（Ｅｐｉｌａｃｈｎａ）種、アトマリア（Ａｔｏｍａｒｉａ）種、オリゼフィルス（Ｏｒｙｚａｅｐｈｉｌｕｓ）種、アントノムス（Ａｎｔｈｏｎｏｍｕｓ）種、シトフィルス（Ｓｉｔｏｐｈｉｌｕｓ）種、オチオリンクス（Ｏｔｉｏｒｈｙｎｃｈｕｓ）種、コスモポリテス（Ｃｏｓｍｏｐｏｌｉｔｅｓ）種、セウトリンクス（Ｃｅｕｔｏｒｈｙｎｃｈｕｓ）種、ヒペラ（Ｈｙｐｅｒａ）種、カツオブシムシ（Ｄｅｍｅｓｔｅｓ）種、ヒメカツオブシムシ（Ｔｒｏｇｏｄｅｒｍａ）種、アントレヌス（Ａｎｔｈｒｅｎｕｓ）種、アタゲヌス（Ａｔｔａｇｅｎｕｓ）種、リクタス（Ｌｙｃｔｕｓ）種、メリゲテス（Ｍｅｌｉｇｅｔｈｅｓ）種、チヌス（Ｐｔｉｎｕｓ）種、ニプタス（Ｎｉｐｔｕｓ）種、ギビウム（Ｇｉｂｂｉｕｍ）種、トリボリウム（Ｔｒｉｂｏｌｉｕｍ）種、ゴミムシダマシ（Ｔｅｎｅｂｒｉｏ）種、アグリオテス（Ａｇｒｉｏｔｅｓ）種、コノデルス（Ｃｏｎｏｄｅｒｕｓ）種、メロロンタ（Ｍｅｌｏｌｏｎｔｈａ）種、アンフィマロン（Ａｍｐｈｉｍａｌｌｏｎ）種、コステリトラ（Ｃｏｓｔｅｌｙｔｒａ）種。
【００７４】
膜翅（Ｈｙｍｅｎｏｐｔｅｒａ）目から、例えば、マツハバチ（Ｄｉｐｒｉｏｎ）種、ホプロカンパ（Ｈｏｐｌｏｃａｍｐａ）種、ラシウス（Ｌａｓｉｕｓ）種、モノモリウム（Ｍｏｎｏｍｏｒｉｕｍ）種、スズメバチ（Ｖｅｓｐａ）種。
双翅（Ｄｉｐｔｅｒａ）目から、例えば、ショウジョウバエ（Ｄｒｏｓｏｐｈｉｌｌａ）種、クリソミキサ（Ｃｈｒｙｓｏｍｙｘａ）種、ヒポデルマ（Ｈｙｐｏｄｅｒｍａ）種、タニア（Ｔａｎｎｉａ）種、ケバエ（Ｂｉｂｉｏ）種、オシネラ（Ｏｓｃｉｎｅｌｌａ）種、ホルビア（Ｐｈｏｒｂｉａ）種、ペゴミアイア（Ｐｅｇｏｍｙｉａ）種、セラチチス（Ｃｅｒａｔｉｔｉｓ）種、ダクス（Ｄａｃｕｓ）種、ガガンボ（Ｔｉｐｕｌａ）種。
【００７５】
蛛形（Ａｒａｃｈｎｉｄａ）綱から、例えば、イスラエルブラックサソリ（Ｓｃｏｒｐｉｏ ｍａｕｒｕｓ）、クロコケグモ（Ｌａｔｒｏｄｅｃｔｕｓ ｍａｃｔａｎｓ）。
ダニ（Ａｃａｒｉｎａ）目から、例えば、アカルス（Ａｃａｒｕｓ）種、ブリオビア（Ｂｒｙｏｂｉａ）種、パノニクス（Ｐａｎｏｎｙｃｈｕｓ）種、テトラニクス（Ｔｅｔｒａｎｙｃｈｕｓ）種、エオテトラニクス（Ｅｏｔｅｔｒａｎｙｃｈｕｓ）種、オリゴニクス（Ｏｌｉｇｏｎｙｃｈｕｓ）種、ユーテトラニクス（Ｅｕｔｅｔｒａｎｙｃｈｕｓ）種、エリオフィエス（Ｅｒｉｏｐｈｙｅｓ）種、フィロコプトルタ（Ｐｈｙｌｌｏｃｏｐｔｒｕｔａ）種、タルソネムス（Ｔａｒｓｏｎｅｍｕｓ）種、リピセファルス（Ｒｈｉｐｉｃｅｐｈａｌｕｓ）種、リピセファルス（Ｒｈｉｐｉｃｅｐｈａｌｕｓ）種、イキソデス（Ｉｘｏｄｅｓ）種、アンブリオマ（Ａｍｂｌｙｏｍｍａ）種。
【００７６】
蠕虫（Ｈｅｌｍｉｎｔｈｅｎ）綱から、例えば、メロイドジン（Ｍｅｌｏｉｄｏｇｙｎｅ）種、ヘテロデラ（Ｈｅｔｅｒｏｄｅｒａ）種、グロボデラ（Ｇｌｏｂｏｄｅｒａ）種、ラドホルス（Ｒａｄｏｐｈｏｌｕｓ）種、プラチレンクス（Ｐｒａｔｙｌｅｎｃｈｕｓ）種、チレンクルス（Ｔｙｌｅｎｃｈｕｌｕｓ）種、チレンコリンクス（Ｔｙｌｅｎｃｈｏｒｈｙｎｃｈｕｓ）種、ロチレンクス（Ｒｏｔｙｌｅｎｃｈｕｓ）種、ヘリオコチレンクス（Ｈｅｌｉｏｃｏｔｙｌｅｎｃｈｕｓ）種、ベロノアイムス（Ｂｅｌｏｎｏａｉｍｕｓ）種、ロンギドルス（Ｌｏｎｇｉｄｏｒｕｓ）種、トリコドルス（Ｔｒｉｃｈｏｄｏｒｕｓ）種、ジフィネマ（Ｘｉｐｈｉｎｅｍａ）種、ジチレンクス（Ｄｉｔｙｌｅｎｃｈｕｓ）種、アフェレンコイデス（Ａｐｈｅｌｅｎｃｈｏｉｄｅｓ）種、アングイナ（Ａｎｇｕｉｎａ）種。
腹足（Ｇａｓｔｒｏｐｏｄａ）綱から、例えば、デロセラス（Ｄｅｒｏｃｅｒａｓ）種、アリオン（Ａｒｉｏｎ）種、リムネア（Ｌｙｍｎａｅａ）種、ガルバ（Ｇａｌｂａ）種、スクシネア（Ｓｕｃｃｉｎｅａ）種。
【００７７】
本発明の方法は好ましくはアグリオテス（Ａｇｒｉｏｔｅｓ）種、メロロンタ（Ｍｅｌｏｌｏｎｔｈａ）種、アフィス（Ａｐｈｉｓ）種、ネファシア（Ｃｎｅｐｈａｓｉａ）種、オストリニア（Ｏｓｔｒｉｎｉａ）種、アグロチス（Ａｇｒｏｔｉｓ）種、ヒドレシア（Ｈｙｄｒａｅｃｉａ）種、チプラ（Ｔｉｐｕｌａ）種、ミズス（Ｍｙｚｕｓ）種、ベミシア（Ｂｅｍｉｓｉａ）種、トリアレウロデス（Ｔｒｉａｌｅｕｒｏｄｅｓ）種、オシネラ（Ｏｓｃｉｎｅｌｌａ）、テトラニクス（Ｔｅｔｒａｎｙｃｈｕｓ）種、リグス（Ｌｙｇｕｓ）種、レプチノタルサ（Ｌｅｐｔｉｎｏｔａｒｓａ）種、キジラミ（Ｐｓｙｌｌｉｏｄｅｓ）種、フィトメトラ（Ｐｈｙｔｏｍｅｔｒａ）種、デロセラス（Ｄｅｒｏｃｅｒａｓ）種、シラ（Ｐｓｙｌｌａ）種、ブラニウルス（Ｂｌａｎｉｕｌｕｓ）種、オニキウルス（Ｏｎｙｃｈｉｕｒｕｓ）種、ピエスマ（Ｐｉｅｓｍａ）種、アトマリア（Ａｔｏｍａｒｉａ）種、アクリペア（Ａｃｌｙｐｅａ）種、ケトクネマ（Ｃｈａｅｔｏｃｎｅｍａ）種、カッシダ（Ｃａｓｓｉｄａ）種、ボシノデレス（Ｂｏｔｈｙｎｏｄｅｒｅｓ）種、クリビナ（Ｃｌｉｖｉｎａ）種、スクロビパルパ（Ｓｃｒｏｂｉｐａｌｐａ）種、フトリメア（Ｐｈｔｈｏｒｉｍａｅａ）種、グノリモスケマ（Ｇｎｏｒｉｍｏｓｃｈｅｍａ）種、マメストラ（Ｍａｍｅｓｔｒａ）種、オートグラファ（Ａｕｔｏｇｒａｐｈａ）種、アリオン（Ａｒｉｏｎ）種、グリロタルパ（Ｇｒｙｌｌｏｔａｒｐａ）種、ユーリデマ（Ｅｕｒｙｄｅｍａ）種、メリゲテス（Ｍｅｌｉｇｅｔｈｅｓ）種、セウトリンクス（Ｃｅｕｔｏｒｈｙｎｃｈｕｓ）種、フィロトレタ（Ｐｈｙｌｌｏｔｒｅｔａ）種、コナガ（Ｐｌｕｔｅｌｌａ ｘｙｌｏｓｔｅｌｌａ）、エベルゲスチス（Ｅｖｅｒｇｅｓｔｉｓ）種、ラカノビア（Ｌａｃａｎｏｂｉａ）種、ピエリス（Ｐｉｅｒｉｓ）種、ホルフィクラ（Ｆｏｒｆｉｃｕｌａ）種、ヒペラ（Ｈｙｐｅｒａ）種、アピオン（Ａｐｉｏｎ）種、オチオリンクス（Ｏｔｉｏｒｈｙｎｃｈｕｓ）種、シトナ（Ｓｉｔｏｎａ）種、アカントセリデス（Ａｃａｎｔｈｏｓｃｅｌｉｄｅｓ）種、カコトリップス（Ｋａｋｏｔｈｒｉｐｓ）種、ブルクス（Ｂｒｕｃｈｕｓ）種、シジア（Ｃｙｄｉａ）種、トリップス（Ｔｈｒｉｐｓ）種、シュードシアフィラ（Ｐｓｅｕｄｏｃｉａｐｈｉｌａ）種、ヘリオチス（Ｈｅｌｉｏｔｈｉｓ）種、ヘリコベルパ（ｈｅｌｉｃｏｖｅｒｐａ）種、プロデニア（Ｐｒｏｄｅｎｉａ）種、ハスモンヨトウ（Ｓｐｏｄｏｐｔｅｒａ）種、チロ（Ｃｈｉｌｌｏ）種及びジアブロチカ（Ｄｉａｂｒｏｔｉｃａ）種を抑制するために適当である。
【００７８】
ここで本発明は次に示す実施例により一層詳細に例証されるが、それにより限定されるものではない。
【００７９】
【実施例】
コナガ （Ｐｌｕｔｅｌｌａ ｘｙｌｏｓｔｅｌｌａ（ｄｉａｍｏｎｄｂａｃｋ ｍｏｔｈ））
７週齢のカリフラワー植物（普通株カリフラワーの変種：Ｍａｒｎｅｒ Ａｌｌｆｒｕｅｈ）及びＢｔカリフラワー（Ｂｔ抵抗性株、ｃｒｙ９Ｃを含む）に試験殺虫剤をトラック噴霧機（２００ ｌ／ｈａ）を使用して噴霧した。乾燥後、それぞれの植物にコナガのＬ２齢幼虫５匹及びＬ３齢幼虫５匹を感染させた。２日、４日及び７日後における給与による損傷及び致死率を計算した。試験は２３℃の温室で６０℃の相対大気湿度で実行した。
【００８０】
【表１】
2004517945.tif 000002
すべての４つの活性物質について明らかに有意な相乗効果が認められる。
【国際公開パンフレット】
2004517945.tif 000003
2004517945.tif 000004
2004517945.tif 000005
2004517945.tif 000006
2004517945.tif 000007
2004517945.tif 000008
2004517945.tif 000009
2004517945.tif 000010
2004517945.tif 000011
2004517945.tif 000012
2004517945.tif 000013
2004517945.tif 000014
2004517945.tif 000015
2004517945.tif 000016
2004517945.tif 000017
2004517945.tif 000018
2004517945.tif 000019
2004517945.tif 000020
2004517945.tif 000021
2004517945.tif 000022
2004517945.tif 000023
2004517945.tif 000024
2004517945.tif 000025
2004517945.tif 000026
2004517945.tif 000027
2004517945.tif 000028
2004517945.tif 000029
【国際公開パンフレット（コレクトバージョン）】
2004517945.tif 000030
【手続補正書】
【提出日】平成15年4月25日(2003.4.25)
【手続補正１】
【補正対象書類名】明細書
【補正対象項目名】特許請求の範囲
【補正方法】変更
【補正の内容】
【特許請求の範囲】
【請求項１】
バチルス・チューリンゲンシスから得られ、殺虫作用を有する蛋白質をコードしそして発現する遺伝子を含むジャガイモ、トマト、ナス、ペッパー及びチリからなる群より選ばれる遺伝的に改変された野菜植物において有害生物を防除する方法であって、次の群（ａ）ないし（ｆ）：
ａ）アセフェート、アジンホス−エチル、アジンホス−メチル、カズサホス、クロルフェンビンホス、クロルメホス、クロルピリホス、デメトン−Ｓ−メチル、ジアジノン、ジクロトホス、ジメトエート、ジスルホトン、エチオン、エトプロホス、エトリムホス、ホノホス、イサゾホス、イソフェンホス、マラチオン、メタミドホス、メチダチオン、メビンホス、モノクロトホス、オメトエート、パラチオン、フェントエート、ホレート、ホサロン、ホスメット、ホスファミドン、ホキシム、ピリミホスメチル、プロフェノホス、プロチオホス、ピリダフェンチオン、キナルホス、テルブホス、テトラクロルビンホス及びトリアゾホスからなる群より選ばれる殺虫性有機リン化合物；
ｂ）アクリナトリン、アレトリン、ビフェントリン、シクロプロトリン、シフルトリン、（ベータ）−シフルトリン、（ラムダ）−シハロトリン、シペルメトリン、（アルファ）−シペルメトリン、（ベータ）−シペルメトリン、（ゼータ）−シペルメトリン、デルタメトリン、エスフェンバレレート、フェンプロパトリン、フェンバレレート、フルシトリネート、（タウ）−フルバリネート、ペルメトリン、テフルトリン、トラロメトリン及びＺＸＩ ８９０１からなる群より選ばれるピレスロイド；
ｃ）アラニカルブ、アルジカルブ、アミトラズ、ベンジオカルブ、ベンフラカルブ、ブトカルボキシム、カルバリル、カルボフラン、カルボスルファン、エチオフェンカルブ、ホルメタネート、フラチオカルブ、イソプロカルブ、メチオカルブ、メトミル、オキサミル、ピリミカルブ、プロポキスル、チオファノックス、チオジカルブ及びトリメタカルブからなる群より選ばれる殺虫性カルバメート；
ｄ）バチルス・チューリンゲンシス、バチルス・フィルムス、顆粒症及び核多角体病ウイルス群、ボーベリア・バッシアナ、ボーベリア・ブログニアルティ及びオートグラファ・カリホルニアのようなバキュロウイルス群からなる群より選ばれるバイオ農薬；
ｅ）クロルフルアズロン、ＤＢＩ−３２０４、ジフルベンズロン、フルシクロクスロン、フルフェノクスロン、ヘキサフルムロン、ルフェヌロン、ノバルロン、メトキシフェノジド、テフルベンズロン、テブフェノジド及びトリフルムロンからなる群より選ばれる殺虫性成長調整物質；
ｆ）その他の物質：
アバメクチン、ベンスルタップ、カルタップ、クロルダン、クロルフェナピル、ＤＮＯＣ、エンドスルファン、フィプロニル、エチプロール、イミダクロプリド、チアクロプリド、ホスフィン、オレイン酸／脂肪酸、ピメトロジン、チオシクラム、ＩＫＩ−２２０、トルフェンピラド、アセタミプリド、スピノサド、シラフルオフェン及びチアメトキサム
からの１つ又はより多くの化合物の殺虫的に活性の量を植物、それらの種子又は繁殖物及び／又はそれらが栽培される土地に施用する、上記の方法。
【請求項２】
化合物が、殺虫性有機リン化合物（ａ）、ピレスロイド（ｂ）、殺虫性カルバメート（ｃ）、殺虫性成長調整物質（ｅ）、アバメクチン、アセタミプリド、クロルフェナピル、エンドスルファン、フィプロニル、エチプロール、イミダクロプリド、ピメトロジン、スピノサド、シラフルオフェン、チアメトキサム、チアクロプリド、トルフェンピラド、ＩＫＩ−２２０及びバチルス・チューリンゲンシスの群から選ばれる、請求項１に記載の方法。
【請求項３】
エトプロホス、マラチオン、パラチオン、ホサロン、ピリミホスメチル、トリアゾホス、アクリナトリン、デルタメトリン、テフルトリン、アルジカルブ、アミトラズ、ベンジオカルブ、カルバリル、カルボフラン、オキサミル、ピリミカルブ、チオジカルブ、ジフルベンズロン、ルフェヌロン、ノバルロン、メトキシフェノジド、テブフェノジド、アバメクチン、アセタミプリド、クロルフェナピル、エンドスルファン、フィプロニル、エチプロール、イミダクロプリド、ピメトロジン、スピノサド、シラフルオフェン、チアメトキサム、チアクロプリド、トルフェンピラド、ＩＫＩ−２２０及びバチルス・チューリンゲンシスからなる群より選ばれる化合物を使用する請求項２に記載の方法。
【請求項４】
相乗的に殺虫的に活性の化合物の２つ又はそれ以上の混合物を使用する請求項１〜３のいずれか１項に記載の方法。
【請求項５】
相乗的に殺虫的に活性の化合物は０．０００１ないし５．０ｋｇ／ｈａの施用比率で施用する請求項１〜４のいずれか１項に記載の方法。
【請求項６】
相乗的に殺虫的に活性の化合物は製剤の０．００００１ないし９５重量％で使用する請求項１〜５のいずれか１項に記載の方法。
【請求項７】
ジャガイモ、トマト、ナス、ペッパー及びチリからなる群より選ばれる野菜植物中の殺虫的に活性の蛋白質はｃｒｙ１、ｃｒｙ２、ｃｒｙ３及び／又はｃｒｙ９サブファミリーからの結晶蛋白質である請求項１〜６のいずれか１項に記載の方法。
【請求項８】
ジャガイモ、トマト、ナス、ペッパー及びチリからなる群より選ばれる野菜植物中の殺虫的に活性の蛋白質はｃｒｙ１Ａｂ、ｃｒｙ１Ａｃ、ｃｒｙ３Ａ、ｃｒｙ３Ｂ及び／又はｃｒｙ９Ｃである請求項７に記載の方法。
【請求項９】
使用するジャガイモ、トマト、ナス、ペッパー及びチリからなる群より選ばれる野菜植物はグルホシナート又はグリホサート耐性を有する請求項１〜８のいずれか１項に記載の方法。
【請求項１０】
有害生物は同翅類、鱗翅類及び／又は鞘翅類目に属する昆虫である請求項１〜９のいずれか１項に記載の方法。
【請求項１１】
相乗的に殺虫的に活性の化合物を有害生物の卵に対して並びに／又はＬ１及び／もしくはＬ２及び／もしくはＬ３及び／もしくはＬ４及び／もしくはＬ５齢に対して並びに／又は成虫に対して使用する請求項１〜１０のいずれか１項に記載の方法。
【請求項１２】
群（ａ）ないし（ｆ）から選ばれる１つ又はそれ以上の相乗的に殺虫的に活性の化合物に加えて、１つ又はそれ以上のさらに別の殺虫的、殺菌的又は除草的に活性の化合物を使用する請求項１〜１１のいずれか１項に記載の方法。
【請求項１３】
次の群（ａ）ないし（ｆ）：
ａ）アセフェート、アジンホス−エチル、アジンホス−メチル、カズサホス、クロルフェンビンホス、クロルメホス、クロルピリホス、デメトン−Ｓ−メチル、ジアジノン、ジクロトホス、ジメトエート、ジスルホトン、エチオン、エトプロホス、エトリムホス、ホノホス、イサゾホス、イソフェンホス、マラチオン、メタミドホス、メチダチオン、メビンホス、モノクロトホス、オメトエート、パラチオン、フェントエート、ホレート、ホサロン、ホスメット、ホスファミドン、ホキシム、ピリミホスメチル、プロフェノホス、プロチオホス、ピリダフェンチオン、キナルホス、テルブホス、テトラクロルビンホス及びトリアゾホスからなる群より選ばれる殺虫性有機リン化合物；
ｂ）アクリナトリン、アレトリン、ビフェントリン、シクロプロトリン、シフルトリン、（ベータ）−シフルトリン、（ラムダ）−シハロトリン、シペルメトリン、（アルファ）−シペルメトリン、（ベータ）−シペルメトリン、（ゼータ）−シペルメトリン、デルタメトリン、エスフェンバレレート、フェンプロパトリン、フェンバレレート、フルシトリネート、（タウ）−フルバリネート、ペルメトリン、テフルトリン、トラロメトリン及びＺＸＩ ８９０１からなる群より選ばれるピレスロイド；
ｃ）アラニカルブ、アルジカルブ、アミトラズ、ベンジオカルブ、ベンフラカルブ、ブトカルボキシム、カルバリル、カルボフラン、カルボスルファン、エチオフェンカルブ、ホルメタネート、フラチオカルブ、イソプロカルブ、メチオカルブ、メトミル、オキサミル、ピリミカルブ、プロポキスル、チオファノックス、チオジカルブ及びトリメタカルブからなる群より選ばれる殺虫性カルバメート；
ｄ）バチルス・チューリンゲンシス、バチルス・フィルムス、顆粒症及び核多角体病ウイルス群、ボーベリア・バッシアナ、ボーベリア・ブログニアルティ及びオートグラファ・カリホルニアのようなバキュロウイルス群からなる群より選ばれるバイオ農薬；
ｅ）クロルフルアズロン、ＤＢＩ−３２０４、ジフルベンズロン、フルシクロクスロン、フルフェノクスロン、ヘキサフルムロン、ルフェヌロン、ノバルロン、メトキシフェノジド、テフルベンズロン、テブフェノジド及びトリフルムロンからなる群より選ばれる殺虫性成長調整物質；
ｆ）その他の物質：
アバメクチン、ベンスルタップ、カルタップ、クロルダン、クロルフェナピル、ＤＮＯＣ、エンドスルファン、フィプロニル、エチプロール、イミダクロプリド、チアクロプリド、ホスフィン、オレイン酸／脂肪酸、ピメトロジン、チオシクラム、ＩＫＩ−２２０、トルフェンピラド、アセタミプリド、スピノサド、シラフルオフェン及びチアメトキサム
からの化合物の、バチルス・チューリンゲンシスから得られ、殺虫的に活性の蛋白質をコードしそして発現する遺伝子を含むジャガイモ、トマト、ナス、ペッパー及びチリからなる群より選ばれる遺伝的に改変された野菜植物において有害生物を抑制するための使用。
【国際調査報告】
2004517945.tif 000031
2004517945.tif 000032
2004517945.tif 000033
2004517945.tif 000034
2004517945.tif 000035
2004517945.tif 000036
2004517945.tif 000037
2004517945.tif 000038